(57)【要約】      （修正有）【課題】製造、取り扱いおよび輸送が容易な軽量パウチを提供する。【解決手段】口栓と内側支持取っ手要素との組み合わせは、軟質パウチに結合される。内側支持取っ手要素は、口栓の内側から延び、軟質パウチ本体の内部にあり、内部から、軟質パウチ本体の取っ手領域に隣接する軟質パウチ本体の外側に延びて、硬質取っ手部を形成する。別の形態では、内側支持取っ手要素は、口栓の外周面から延び、軟質パウチ本体の外側にあるが、１つまたは複数の外側スリーブまたはループによって軟質パウチ本体の外周面に固定される。【選択図】図３
2019116319.tif 000002
【特許請求の範囲】
【請求項１】
一体となった口栓と内側支持取っ手要素とを備えたボトルパウチであって、
取っ手領域を備えた軟質パウチ本体を含むボトルの形状の軟質パウチと、
口栓と内側支持取っ手要素との組み合わせから延びる硬質取っ手部を含む、口栓と内側支持取っ手要素との組み合わせと
を含み、
前記口栓と内側支持取っ手要素との組み合わせが前記軟質パウチに結合され、
前記内側支持取っ手要素が前記口栓の内部から延び、前記軟質パウチ本体の内部にあり、
前記内側支持取っ手要素が前記軟質パウチ本体の内部から、前記軟質パウチ本体の前記取っ手領域に隣接する前記軟質パウチ本体の外側に通って、前記軟質パウチの前記取っ手領域の硬さを増す前記硬質取っ手部を形成する、
ボトルパウチ。
【請求項２】
前記内側支持取っ手要素が前記軟質パウチ本体の外側から通って、前記軟質パウチ本体の前記取っ手領域に隣接する前記軟質パウチの内部に戻る、請求項１に記載のボトルチューブ。
【請求項３】
前記口栓と内側支持取っ手要素との組み合わせが一体である、請求項１に記載のボトルパウチ。
【請求項４】
前記口栓と内側支持取っ手要素との組み合わせが射出成形プロセスで形成される、請求項３に記載のボトルパウチ。
【請求項５】
前記口栓と内側支持取っ手要素との組み合わせが、前記口栓を前記内側支持取っ手要素にかみ合わせるための、口栓内側係合機構と内側支持取っ手要素係合機構とを含む、請求項１に記載のボトルパウチ。
【請求項６】
前記硬質取っ手部が、前記取っ手領域のための１つの外側支持取っ手要素を含む、請求項１に記載のボトルパウチ。
【請求項７】
前記硬質取っ手部が、前記取っ手領域のための第２の外側支持取っ手要素を含む、請求項６に記載のボトルパウチ。
【請求項８】
前記口栓と内側支持取っ手要素との組み合わせが、接着シール、超音波シール、またはヒートシールによって前記軟質パウチ本体に結合される、請求項１に記載のボトルパウチ。
【請求項９】
前記口栓と内側支持取っ手要素との組み合わせは、前記軟質パウチ本体と比較して剛性がより大きい硬質材料である、請求項１に記載のボトルパウチ。
【請求項１０】
前記硬質材料は、金属と、ガラスと、セラミックと、木材と、ポリプロピレンと、ポリスチレンと、ポリエステルと、ナイロンと、ポリエチレンと、ポリヒドロキシアルカノエートと、ポリ乳酸と、サトウキビ由来ポリエステルまたはトウモロコシ由来エタノールと、成形パルプとからなるグループから選択される、請求項９に記載のボトルパウチ。
【請求項１１】
前記口栓に相互接続されたキャップまたは吐出機構をさらに含む、請求項１に記載のボトルパウチ。
【請求項１２】
前記キャップまたは吐出機構は、ねじ方式、ヒンジ方式、または機械的結合方式によって前記口栓に相互接続される、請求項１１に記載のボトルパウチ。
【請求項１３】
前記吐出機構は、トリガスプレー器と、ポンプと、弁と、プッシュプル式注ぎ口と、戻し注ぎ口と、定量吐出用吐出ボールまたは球とからなるグループから選択される、請求項１１に記載のボトルパウチ。
【請求項１４】
前記軟質パウチ本体が、液体、乾燥固体、粉末固体、またはこれらの組み合わせをさらに含む、請求項１に記載のボトルパウチ。
【請求項１５】
前記口栓は形状が、環状、楕円形、または矩形である、請求項１に記載のボトルパウチ。
【請求項１６】
前記口栓は、半硬質、軟質、または弾性材料である、請求項１に記載のボトルパウチ。
【請求項１７】
前記材料は、金属と、ガラスと、セラミックと、木材と、ポリプロピレンと、ポリスチレンと、ポリエステルと、ナイロンと、ポリエチレンと、ポリヒドロキシアルカノエートと、ポリ乳酸と、サトウキビ由来ポリエステルまたはトウモロコシ由来エタノールと、成形パルプとからなるグループから選択される、請求項１６に記載のボトルパウチ。
【請求項１８】
一体となった口栓と内側支持取っ手要素とを備えたボトルパウチであって、
取っ手領域と、軟質パウチ本体の外周面に結合された少なくとも１つの外側スリーブまたはループとを備えた軟質パウチ本体を含むボトルの形状の軟質パウチと、
口栓と内側支持取っ手要素との組み合わせから延びる硬質取っ手部を含む、口栓と内側支持取っ手要素との組み合わせと
を含み、
前記口栓と内側支持取っ手要素との組み合わせが前記軟質パウチに結合され、前記内側支持取っ手要素が、前記少なくとも１つの外側スリーブまたはループの内部を通り、
前記内側支持取っ手要素が、前記口栓の外周面から延び、前記軟質パウチ本体の外側にあり、
前記内側支持取っ手要素が、前記外側スリーブまたはループの内部から前記軟質パウチ本体の前記取っ手領域に隣接する前記軟質パウチ本体の外側に通って、前記軟質パウチの前記取っ手領域の硬さを増す前記硬質取っ手部を形成する、
ボトルパウチ。
【請求項１９】
前記軟質パウチ本体の外周面に結合された第２の外側スリーブまたはループをさらに含む、請求項１に記載のボトルパウチ。
【請求項２０】
前記内側支持取っ手要素が、前記第２の外側スリーブまたはループの内部を通る、請求項１９に記載のボトルパウチ。
【請求項２１】
前記硬質取っ手部が、前記取っ手領域に隣接して位置する前記第２の外側スリーブまたはループの内部を通る、請求項１９に記載のボトルパウチ。
【請求項２２】
前記軟質パウチ本体の外周面に結合された第３の外側スリーブまたはループをさらに含む、請求項１に記載のボトルパウチ。
【請求項２３】
前記内側支持取っ手要素が、前記第３の外側スリーブまたはループの内部を通る、請求項２２に記載のボトルパウチ。
【請求項２４】
前記硬質取っ手部が、前記取っ手領域に隣接して位置する前記第３の外側スリーブまたはループの内部を通る、請求項２２に記載のボトルパウチ。
【請求項２５】
前記少なくとも１つの外側スリーブまたはループは長さが、５ｍｍないし２５０ｍｍの範囲である、請求項１８に記載のボトルパウチ。
【請求項２６】
前記少なくとも１つの外側スリーブまたはループは内径が、５ｍｍないし２５ｍｍの範囲である、請求項１８に記載のボトルパウチ。
【請求項２７】
前記内側支持取っ手要素と前記硬質取っ手部との外径が、３ｍｍないし２３ｍｍの範囲である、請求項１８に記載のボトルパウチ。
【請求項２８】
前記口栓と内側支持取っ手要素との組み合わせが一体である、請求項１８に記載のボトルパウチ。
【請求項２９】
前記口栓と内側支持取っ手要素との組み合わせが、前記内側支持取っ手要素の端部に、圧入型機構において前記口栓の環状肩部の上を滑るスリップリングを備えた内側支持取っ手要素を含む、請求項１８に記載のボトルパウチ。
【請求項３０】
前記硬質取っ手部が、前記取っ手領域のための１つの外側支持取っ手要素を含む、請求項１８に記載のボトルパウチ。
【請求項３１】
前記硬質取っ手部が、前記取っ手領域のための第２の外側支持取っ手要素を含む、請求項３０に記載のボトルパウチ。
【請求項３２】
前記口栓と内側支持取っ手要素との組み合わせは、接着シール、超音波シール、またはヒートシールによって前記軟質パウチ本体に結合される、請求項１８に記載のボトルパウチ。
【請求項３３】
前記口栓と内側支持取っ手要素との組み合わせは、前記軟質パウチ本体と比較して剛性がより大きい硬質材料である、請求項１８に記載のボトルパウチ。
【請求項３４】
前記硬質材料は、金属と、ガラスと、セラミックと、木材と、ポリプロピレンと、ポリスチレンと、ポリエステルと、ナイロンと、ポリエチレンと、ポリヒドロキシアルカノエートと、ポリ乳酸と、サトウキビ由来ポリエステルまたはトウモロコシ由来エタノールと、成形パルプとからなるグループから選択される、請求項３３に記載のボトルパウチ。
【請求項３５】
前記口栓と相互接続されたキャップまたは吐出機構をさらに含む、請求項１８に記載のボトルパウチ。
【請求項３６】
前記キャップまたは前記吐出機構は、ねじ方式、ヒンジ方式、または機械的結合方式によって前記口栓に相互接続される、請求項３４に記載のボトルパウチ。
【請求項３７】
前記吐出機構は、トリガスプレー器と、ポンプと、弁と、プッシュプル式注ぎ口と、戻し注ぎ口と、定量吐出用吐出ボールまたは球とからなるグループから選択される、請求項３５に記載のボトルパウチ。
【請求項３８】
前記軟質パウチ本体は、液体、乾燥固体、粉末固体、またはこれらの組み合わせをさらに含む、請求項１８に記載のボトルパウチ。
【請求項３９】
前記口栓は形状が、環状、楕円形または矩形である、請求項１８に記載のボトルパウチ。
【請求項４０】
前記口栓は、半硬質、軟質または弾性材料である、請求項１８に記載のボトルパウチ。
【請求項４１】
前記材料は、金属と、ガラスと、セラミックと、木材と、ポリプロピレンと、ポリスチレンと、ポリエステルと、ナイロンと、ポリエチレンと、ポリヒドロキシアルカノエートと、ポリ乳酸と、サトウキビ由来ポリエステルまたはトウモロコシ由来エタノールと、成形パルプとからなるグループから選択される、請求項４０に記載のボトルパウチ。
【請求項４２】
一体となった口栓と内側支持取っ手要素とを備えたボトルパウチを製作する方法であって、
ｉ）取っ手領域を備えた軟質パウチ本体と、ｉｉ）口栓と内側支持取っ手要素との組み合わせから延びる硬質取っ手部を含む口栓と内側支持取っ手要素との組み合わせとを含む、ボトルの形状の軟質パウチを設けることと、
前記内側支持取っ手要素が前記口栓の内部から延び、前記軟質パウチ本体の内部にある、前記口栓と内側支持取っ手要素との組み合わせを前記軟質パウチに結合することと、
前記軟質パウチの前記取っ手領域の硬さを増す前記硬質取っ手部を形成するために、前記内側支持取っ手要素を、前記軟質パウチ本体の内部から、前記軟質パウチ本体の前記取っ手領域に隣接する前記軟質パウチ本体の外側に通すことと
を含む、方法。
【請求項４３】
一体となった口栓と内側支持取っ手要素とを備えたボトルパウチを製作する方法であって、
ｉ）取っ手領域と、軟質パウチ本体の外周面に結合された少なくとも１つの外側スリーブまたはループを備えた軟質パウチ本体と、ｉｉ）内側支持取っ手要素が口栓の外周から延びる、口栓と内側支持取っ手要素との組み合わせから延びる硬質取っ手部を含む口栓と内側支持取っ手要素との組み合わせとを含むボトルの形状の軟質パウチを設けることと、
前記口栓と内側支持取っ手要素との組み合わせを前記軟質パウチに結合することと、
前記内側支持取っ手要素を、前記軟質パウチ本体の外側にある、前記少なくとも１つの外側スリーブまたはループとの組み合わせの内部に通すことと、
前記軟質パウチの前記取っ手領域の硬さを増す前記硬質取っ手部を形成するために、前記内側支持取っ手要素を、前記外側スリーブまたはループの内部から、前記軟質パウチ本体の前記取っ手領域に隣接する前記軟質パウチ本体の外側まで通すことと
を含む、方法。
【発明の詳細な説明】
【技術分野】
【０００１】
関連技術の相互参照
本願は、２０１１年１１月１１日に出願された米国仮特許出願第６１／５５８，７５４号に基づく優先権を主張する２０１２年１１月９日に出願された米国非仮特許出願第１３／６７３，２９３号（現在、米国特許第８，９９２，０８４号）の分割出願である、２０１５年３月３０日に出願された、米国非仮出願特許出願第１４／６７２，５３７号の一部継続出願であり、参照によりこれらの開示の全体が本明細書に組み込まれる。
【０００２】
本開示は、口栓を備えた軟質パウチのための仕組みに関し、より詳細には、一体となった取っ手と内側支持材とを備えた口栓を有する軟質パウチに関する。より詳細には、本開示は、パウチの口栓と一体になった硬質取っ手を備えたボトルパウチに関する。
【背景技術】
【０００３】
一般に、液体または流動性を有する内容物を扱うために、硬質容器が使用されることが多い。しかし、取っ手を備えたパウチを使用することも可能である。しかし、取っ手を備えたパウチは、製造または生産が難しいことが多い。さらに、取っ手を備えた現在の軟質パウチは、支えがないために陳列および使用が難しい。
【０００４】
例えば、取っ手を備えた既存のパウチは、典型的には、例えば、パウチ材料に取っ手が直接切り込まれ、ヒートシールされる、フィルムの打抜きとヒートシールとによって作られたものである。しかし、このようなパウチの取っ手は、十分な剛性または硬さがないことが多く、扱いが難しい。このようなパウチを扱った結果、パウチと取っ手の形状の変形が生じることがある。他の種類の打抜きおよびヒートシールされたパウチ用取っ手では、パウチの内容物が減少するにつれて取っ手が剛性を失うことがあり、その場合、内容物は、補強されたパウチ取っ手を維持するための必要な手段を与えることができなくなる。取っ手を備えた他のパウチは、完全にパウチ自体の外側にある硬質取っ手要素を使用することによってこの問題の解決を試みている。しかし、そのようなパウチは人間工学的ではなく、扱いが難しいことが多い。例えば、そのようなパウチの扱いは、取っ手付きの硬質容器を扱うのとはきわめて異なる扱い方であることがあり、消費者が使用するには難しいことがある。そのようなデザインの結果としてパウチが予期しない仕方で変形するために、取り扱い時にこぼれ、または不測の事態を起こすことがより多い。取っ手付きのさらに他のパウチは、取っ手として使用されるように形成された空気袋を備えて形成される。例えば、そのようなパウチは、取っ手を形成するように空気を充填することができる空所をパウチ内に形成することによって形成することができる。このようなパウチ取っ手はその形状および剛性を維持することができるかも知れないが、これにはきわめて費用がかかることが多く、製造が難しく、新たな装置または専用の装置を必要とすることが多い。上記の欠点のうちの１つまたは複数の欠点を回避する取っ手を備えたパウチを有することが望ましい。
【０００５】
パウチ、特に構造的形状が重要なパウチは硬質の剛性材料からなることも多い。そのような硬質の剛性パウチは、形状または構造の維持のために重要であることが多い。しかし、そのようなパウチも、製造、輸送、取り扱いおよび処分における余分なコストの原因となる。形状を維持するために硬質の剛性材料に頼らずに形状および構造的硬さを維持し、それによって、より製造、取り扱いおよび輸送が容易な軽量パウチを可能にするパウチを有することが望ましい。
【発明の概要】
【０００６】
本開示は、一つには、一体となった口栓と内側支持取っ手要素とを備えたボトルパウチであって、取っ手領域を備えた軟質パウチ本体を含むボトルの形状の軟質パウチと、口栓と内側支持取っ手要素との組み合わせから延びる硬質取っ手部を含む、口栓と内側支持取っ手要素との組み合わせとを含むボトルパウチに関する。口栓と内側支持取っ手要素との組み合わせは、軟質パウチに結合され、内側支持取っ手要素が口栓の内部から延び、軟質パウチ本体の内部にある。内側支持取っ手要素は、軟質パウチ本体の内部から、軟質パウチ本体の取っ手領域に隣接する軟質パウチ本体の外側に通って、軟質パウチの取っ手領域の硬さを増す硬質取っ手部を形成する。
【０００７】
本開示は、一体となった口栓と内側支持取っ手要素とを備えたボトルパウチであって、取っ手領域と、軟質パウチ本体の外周面に結合された少なくとも１つの外側スリーブまたはループとを備えた軟質パウチ本体を含むボトルの形状の軟質パウチと、口栓と内側支持取っ手要素との組み合わせから延びる硬質取っ手部を含む、口栓と内側支持取っ手要素との組み合わせとを含むボトルパウチにも関する。口栓と内側支持取っ手要素との組み合わせは、軟質パウチに結合され、内側支持取っ手要素は、少なくとも１つの外側スリーブまたはループの内部を通る。内側支持取っ手要素は、口栓の外周面から延び、軟質パウチ本体の外側る。内側支持取っ手要素は、外側スリーブまたはループの内部から軟質パウチ本体の取っ手領域に隣接する軟質パウチ本体の外側に通って、軟質パウチの取っ手領域の硬さを増す硬質取っ手部を形成する。
【０００８】
本開示は、さらに、一体となった口栓と内側支持取っ手要素とを備えたボトルパウチを製作する方法であって、ｉ）取っ手領域を備えた軟質パウチ本体と、ｉｉ）口栓と内側支持取っ手要素との組み合わせから延びる硬質取っ手部を含む口栓と内側支持取っ手要素との組み合わせとを含む、ボトルの形状の軟質パウチを設けるステップと、次に、内側支持取っ手要素が口栓の内部から延び、軟質パウチ本体の内部にある、口栓と内側支持取っ手要素との組み合わせを軟質パウチに結合するステップと、軟質パウチの取っ手領域の硬さを増す硬質取っ手部を形成するために、内側支持取っ手要素を、軟質パウチ本体の内部から、軟質パウチ本体の取っ手領域に隣接する軟質パウチ本体の外側に通すステップとを含む方法にも関する。
【０００９】
本開示は、さらに、一体となった口栓と内側支持取っ手要素とを備えたボトルパウチを製作する方法であって、ｉ）取っ手領域と、軟質パウチ本体の外周面に結合された少なくとも１つの外側スリーブまたはループとを備えた軟質パウチと、ｉｉ）内側支持取っ手要素が口栓の外周から延びる、口栓と内側支持取っ手要素との組み合わせから延びる硬質取っ手部を含む口栓と内側支持取っ手要素との組み合わせと、を含むボトルの形状の軟質パウチを設けるステップと、次に、口栓と内側支持取っ手要素との組み合わせを軟質パウチに結合するステップと、次に、内側支持取っ手要素を、軟質パウチの外側にある、少なくとも１つの外側スリーブまたはループとの組み合わせの内部に通すステップと、軟質パウチの取っ手領域の硬さを増す硬質取っ手部を形成するために、内側支持取っ手要素を、外側スリーブまたはループの内部から、軟質パウチ本体の取っ手領域に隣接する軟質パウチ本体の外側まで通すステップとを含む方法にも関する。
【００１０】
以下の説明では、本開示の実施形態の前述の態様およびその他の特徴について、添付図面を参照しながら説明する。
【図面の簡単な説明】
【００１１】
【図１】例示の実施形態の一態様に係る口栓を示す切り欠き概略図である。
【図１Ａ】例示の実施形態の一態様に係る取っ手要素を示す斜視図である。
【図１Ｂ】例示の実施形態の一態様に係る口栓と取っ手要素との組み合わせを示す斜視図である。
【図２】例示の実施形態の一態様に係る例示のパウチを示す切り欠き概略図である。
【図２Ａ】例示の実施形態の一態様に係る内側支持材を示す概略図である。
【図２Ｂ】例示の実施形態の一態様に係る内側支持材を示す概略図である。
【図３】例示の一実施形態の一態様に係る取っ手と縁のための内側支持材を備えた例示のパウチを示す概略図である。
【図３Ａ】例示の一実施形態の一態様に係る、パウチの口栓内に配置された内側支持材を備えた例示のパウチを示す概略図である。
【図３Ｂ】例示の一実施形態の一態様に係る、広げられた姿勢にあるパウチの取っ手領域と縁とのための例示の内側支持材を示す概略図である。
【図４】例示の一実施形態の一態様に係る、取っ手と側部とのための内側支持材を備えた例示のパウチを示す概略図である。
【図４Ａ】例示の一実施形態の一態様に係る、パウチの口栓内に配置された内側支持材を備えた例示のパウチを示す概略図である。
【図４Ｂ】例示の一実施形態の一態様に係る、広げられた姿勢にあるパウチの取っ手領域と側部とのための例示の内側支持材を示す概略図である。
【図５】例示の一実施形態の一態様に係る、口栓内に配置された内側支持材を備えた例示のチューブパウチを示す概略図である。
【図５Ａ】例示の一実施形態の一態様に係る、パウチの側縁と任意選択の底部とのための内側支持材を備えた例示のチューブパウチを示す概略図である。
【図５Ｂ】例示の一実施形態の一態様に係る、チューブパウチの側部と底部とのための例示の内側支持材を示す概略図である。
【図６】例示の一実施形態の一態様に係る、口栓と、口栓のふち内に滑り込まされる内側支持材とを示す切り欠き概略図である。
【図６Ａ】例示の実施形態の一態様に係る、口栓と、口栓のふち内に配置された内側支持材とを示す切り欠き概略図である。
【図７】例示の実施形態の一態様に係る、口栓と、口栓のレール内に滑り込まされる内側支持材とを示す切り欠き概略図である。
【図７Ａ】例示の実施形態の別の一態様に係る、口栓と、口栓のレール内に配置された内側支持材とを示す切り欠き概略図である。
【図８】例示の一実施形態の一態様に係る、取っ手の内側部分がパウチ本体内を通る取っ手のための内側および外側支持材を備えた例示のボトルパウチを示す概略図である。
【図９】例示の実施形態の別の態様に係る、取っ手の内側部分がパウチ本体内を通る取っ手のための内側および外側支持材を備えた例示のボトルパウチを示す別の概略図である。
【図１０】例示の実施形態の別の態様に係る、取っ手の内側部分がパウチ本体内を通らない取っ手のための内側および外側支持材を備えた例示のボトルパウチを示す概略図である。
【図１１】例示の一実施形態の別の態様に係る、取っ手の内側部分がパウチ本体内を通らない取っ手のための内側および外側支持材を備えた例示のボトルパウチを示す別の概略図である。
【図１２】例示の実施形態の別の態様に係る、取っ手の内側部分がパウチ本体内を通らない取っ手の内側および外側支持材を備えた例示のボトルパウチを示すさらに別の概略図である。
【図１３】例示の実施形態の別の態様に係る、取っ手の内側部分がパウチ本体内を通らない取っ手のための内側および外側支持材を備えた例示のボトルパウチを示すさらに別の概略図である。
【発明を実施するための形態】
【００１２】
本発明について、図面に示す実施形態を参照しながら説明するが、本例示の各実施形態は、個別に、または任意の適合する組み合わせで使用可能であるものと理解されたい。開示の実施形態の態様について図面を参照しながら説明するが、開示の実施形態の態様は多くの別の形態でも実施可能であるものと理解されたい。さらに、要素および材料の任意の適合する大きさ、形状または種類を使用することができる。
【００１３】
図１に、口栓１００の例示の切り欠き概略図を示す。図１からわかるように、口栓１００は、本開示の実施形態の一態様では略環状または円筒形状であってよい。しかし、本開示の実施形態の別の態様では、口栓１００は、楕円形または矩形形状を含む任意の適合する口栓形状であってよい。わかりやすいように口栓１００について図１に示すような環状口栓であるものとして説明するが、一般に口栓１００の形状は重要ではない。一般に、口栓１００は、硬質材料または、構造的支持を維持するのに十分な硬さの任意のその他の半硬質、軟質または弾性支持材料から形成されてよい。より詳細には、口栓材料は、軟質パウチ本体と比較して剛性が相対的に等しいかまたはより大きい。あるいは、口栓材料は軟質パウチ本体と比較して剛性がより大きい。あるいは、口栓材料は軟質パウチ本体と比較して剛性が、少なくとも５％、または少なくとも１０％、または少なくとも１５％、または少なくとも２０％、または少なくとも２５％、または少なくとも３０％、または少なくとも４０％、または少なくとも５０％より大きい。
【００１４】
一態様では、口栓１００は、高密度ポリエチレン（ＨＤＰＥ）、ポリプロピレン（ＰＰ）、成形パルプ、木材、または任意のその他の類似の適合する材料を含む、任意の適切な硬さの材料から成形されてよい。開示の実施形態の別の態様では、口栓１００は、金属、ガラス、セラミックス、木材、または口栓の形状を維持するのに十分な硬さのある任意のものを含む、任意の適合する硬質材料から形成されてよい。図からわかるように、口栓１００は、係合機構１０２、１０３を有してよい。係合機構１０２、１０３は、口栓１００用のキャップ（図示せず）またはその他の形態の閉止材と係合するように構成されてよい。他の態様では、係合機構１０２、１０３は、口栓と係合するように構成され得る任意のものと係合してよい。
【００１５】
続けて図１を参照すると、口栓１００は内側係合機構１０１も有し得る。図１でわかるように、内側係合機構１０１は、例えば、以下で詳述する取っ手係合機構１０４と係合することができるように口栓１００の内側の周囲を実質的に取り囲む内ふちであってよい。本開示の実施形態の別の態様では、内側係合機構１０１は、取っ手係合機構と係合する任意のその他の適合する手段であってよい。例えば一態様では、内側係合機構１０１は、クリップ、留め具、または摩擦保持係合部であってもよい。他の態様では、内側係合機構１０１は、取っ手係合機構と係合する任意の適合する手段であってよい。内側係合機構１０１は、直接、口栓１００とともに成形されてよいが、他の態様では、他の何らかの手段によって口栓１００と結合される別個の部分であってもよい。
【００１６】
次に図１Ａを参照すると、取っ手要素１０７の斜視図が示されている。取っ手要素１０７は、硬質材料または構造的支持を維持するのに十分な硬さの任意のその他の半硬質、軟質または弾性支持材料から成形またはその他の方法で形成されてよい。より詳細には、取っ手要素材料は、軟質パウチ本体と比較して剛性が等しいかまたはより大きい。あるいは、取っ手要素材料は、軟質パウチ本体と比較して剛性がより大きい。あるいは、取っ手要素材料は、軟質パウチ本体と比較して、少なくとも５％、または少なくとも１０％、または少なくとも１５％、または少なくとも２０％、または少なくとも２５％、または少なくとも３０％、または少なくとも４０％、または少なくとも５０％より大きい。
【００１７】
一態様では、取っ手要素材料は、ＨＤＰＥ、ＰＰ、成形パルプ、木材、または任意のその他の類似の材料であってよい。しかし、他の態様では、材料は、金属、ガラス、セラミックス、木材、またはその形状を維持するのに十分な硬さの任意のその他の適合する材料を含む、任意のその他の硬質材料であってよい。なお、取っ手要素１０７の材料は、口栓１００の材料と同じ種類であってよいが、態様によっては、口栓１００と取っ手要素１０７とは形成に異なる材料を使用してもよい。
【００１８】
続けて図１Ａを参照すると、取っ手要素１０７は、取っ手係合機構１０４を有してよい。上述のように、取っ手係合機構１０４は、係合すると取っ手要素１０７と口栓１００とが実質的に一体となるように、口栓１００の内側係合機構１０１と実質的に結合されてよい。図１Ａからわかるように、取っ手係合機構１０４は、図１に示す環状口栓１００の内側係合機構１０１と結合されるように、略リング状の係合機構として図示されている。しかし、別の態様では、取っ手係合機構１０４は、内側係合機構１０１を補完する、適合する任意の種類の係合機構であってよい。例えば、これには、クリップ、留め具、または何らかの種類の摩擦保持係合機構、または任意のその他の適合する係合機構が含まれるが、これらには限定されない。取っ手係合機構１０４は閉曲線部として図示されているが、本開示の実施形態の別の態様では、取っ手係合機構１０４は開放部または任意のその他の適合する形状であってもよい。一態様では、取っ手係合機構１０４と内側係合機構１０１とは、取っ手係合機構１０４が最小限の力で内側係合機構内にロックすることができるように構成されてよいが、その後、取っ手係合機構１０４を内側係合機構１０１から分離することが困難であるようにロックされる。取っ手要素１０７は、取っ手係合機構１０４と一体構造の取っ手部１０８も有してよい。一態様では、取っ手部１０８は、ほぼ、図１Ａに示す形状であってよいが、別の態様では、取っ手部１０８は取っ手として使用するのに望ましい任意の適合する形状をとり得る。
【００１９】
次に図１Ｂを参照すると、口栓と取っ手要素との組み合わせ１００の図が示されている。図からわかるように、口栓と取っ手要素との組み合わせ１００は、前述のように内側係合機構１０２と取っ手係合機構１０３とによって結合されてよい。別の態様では、口栓と取っ手要素との組み合わせ１００は、内側係合機構１０２と取っ手係合機構１０３との結合を必要としない一体要素であってもよい。図からわかるように、口栓と取っ手要素との組み合わせ１００の結合は、取っ手部１０８が口栓１００の底部から延びるように、実質的に口栓の中心を通されるように行われてよい。口栓１００は、さらに、予め形成されたパウチ１０６に取り付けられ、予備成型パウチ１０６は、予め形成されたパウチ１０６が口栓１００の内部から延びるように形成されてよい。別の態様では、予め形成されたパウチ１０６は、任意の他の適合する方法で形成されてもよく、任意の他の適合する手段によって口栓１００に結合されてよい。予め形成されたパウチ１０６は、任意の種別または種類のものでよく、任意の適合する構成であってよい。一態様では、予め形成されたパウチ１０６は、軟質フィルムまたは、軟質パウチに使用されるのに適した任意の適合する薄型材料からなってよい。例えば、パウチは、一態様ではポリプロピレンからなってよいが、他の態様では任意の適合する材料を使用してよい。予め形成されたパウチ１０６は、口栓１００にヒートシールされてよい。別の態様では、予め形成されたパウチｌ０６は、任意の適合する手段によって口栓１００に取り付けられてよい。取っ手要素１０７の取っ手部１０８は、予め形成されたパウチｌ０６の内部に延びてもよい。別の態様では、取っ手部１０８は、予め形成されたパウチ１０６の外側にも延びてもよい。パウチ１０６は、このような構成では取っ手部１０８の周囲にヒートシールまたはその他の方法でシールされてよい。さらに別の態様では、取っ手の任意の適合する構成も可能である。
【００２０】
次に図２を参照すると、予め形成されたパウチｌ０６の側面切り欠き図が示されている。図のパウチ１０６は自立型パウチの形態であるが、別の態様では任意の適合するパウチ構成が用いられてよい。硬質支持材２００が予め形成されたパウチ１０６内に配置される。硬質支持材２００は、予め形成されたパウチ１０６が所定の構造および形状を保持することができるように、予め形成されたパウチ１０６の構造に支持を与えることができる。硬質支持材２００は、予め形成されたパウチ１０６のために薄型材料を使用することを可能にすることができる。薄型材料は輸送、処分および取り扱いのために望ましいことがあるが、それ自体で形状または構造を維持するのに十分な硬さまたは厚さでないことがある。硬質支持材２００は、ＨＤＰＥ、ＰＰ、金属、木材、または、パウチ内の構造的形状を維持するのに十分な硬さの任意のその他の適合する軟質または弾性支持材料を含む、任意の適合する材料のものであってよい。より具体的には、硬質支持材の材料は剛性が、軟質パウチ本体と比較して等しいかより大きい。あるいは、硬質支持材の材料の剛性は、軟質パウチ本体と比較してより大きい。あるいは、硬質支持材の材料の剛性は、軟質パウチ本体と比較して、少なくとも５％、または少なくとも１０％、または少なくとも１５％、または少なくとも２０％、または少なくとも２５％、または少なくとも３０％、または少なくとも４０％、または少なくとも５０％より大きい。
【００２１】
硬質支持材２００は、口栓１００を介して予め形成されたパウチ１０６の本体内に挿入されてよい。一態様では、硬質支持材２００は、輸送中に予め形成されたパウチがその形状を維持することができるように口栓１００に結合または取り付けられてよい。例えば、硬質支持材２００は、クリップ、留め具、摩擦結合機構または任意のその他の適合する結合機構によって口栓１００に結合されてよい。
【００２２】
次に図２Ａを参照すると、硬質支持材２００ａの側面概略図が示されている。図２Ａに示すような硬質支持材２００ａは、圧縮状態の硬質支持材２００である。硬質支持材２００は、パウチ内での容易な設置をしやすくするように構成されてよい。例えば、硬質支持材２００は、最初は、図２Ａに示すような圧縮状態またはコンパクト状態であってよい。圧縮された硬質支持材２００ａは、圧縮されていない広い硬質支持材２００よりも狭いかまたはより小さい可能性がある口栓１００を介した容易な取り付けを可能にするように、設置を容易にすることができる。硬質支持材２００の圧縮は、硬質支持材２００をコンパクトにするかまたは圧縮する任意の適合する手段によって行われてよい。硬質支持材２００は、ひも、張力、または任意のその他の適合する手段を含む、任意の適合する手段によってコンパクトな状態に圧縮可能であってよい。
【００２３】
次に図２Ｂを参照すると、圧縮されていない状態の硬質支持材２００の側面概略図が示されている。図からわかるように、硬質支持材２００は、（例えば口栓１００を通した挿入によって）パウチ内への設置後、形状を変えるかまたは元の形状に戻ることができる。硬質支持材２００は、例えば、ひも、張力、または任意のその他の手段を含む、任意の適合する機構によって形状を変えるように構成されてよい。一態様では、硬質支持材２００にかかる圧縮力がないことにより硬質支持材２００にかかる張力が開放され、それによって硬質支持材２００は圧縮されていない形状に戻ることができる。これは、例えば、硬質支持材２００を形成するために使用される材料の弾力性によるものであってもよい。一態様では、硬質支持材２００の形状の変形は、外部から加えられる力がほとんどまたはまったくなしに行われてよく、すなわち、硬質支持材２００がそれ自体の弾みによって形状を変化させてもよい。しかし、別の態様では、硬質支持材２００の形状を変化させる任意のその他の適合する手段を使用してよい。
【００２４】
次に図３を参照すると、取っ手領域４１２と前縁４１４とのための硬質内側支持材３００を備えた、例示のボトルパウチ４０６の概略図が示されている。ボトルパウチ４０６は、ボトルパウチ４０６の内容物（図示せず）を吐出するための口栓４００を含む。口栓４００は、ボトルパウチ４０６の内容物を密閉するためのキャップ４０２も含んでよい。ボトルパウチ４０６は、縁部４１４、４１５と、底部４１６も含む。ボトルパウチ４０６は、ボトルパウチ４０６の内容物を注ぎやすくするように機能する取っ手４１２を備えた、固体または液体の内容物を吐出するための任意の適合する形状のものでよい。ボトルパウチ４０６は軟質型材料からなるため一般に脆弱で、したがって液体または固体の内容物を吐出するのが難しく、特にボトルパウチ４０６の残り内容物の量が減少すると難しい。したがって、その硬さを増し、ボトルパウチ４０６の特定の部分における取り扱いの容易さを向上させるために、硬質内側支持材３００がボトルパウチ４０６に挿入される。図３に示す例示の硬質内側支持材３００は、ボトルパウチ４０６の口栓４００内にロックする広げられた姿勢にある係合機構３０４と、取っ手部３０８と、前縁部３１０とを含む。例示の硬質内側支持材３００は、ボトルパウチ４０６の内部にあり、パウチ４０６を取り扱いやすくし、その内容物を注ぎやすくするように、取っ手領域４１２および前縁４１４の硬さを増す。硬質内側支持材３００は、例えば、パウチ４０６の底部４１６を補強するための硬質底部および／またはパウチの側部をさらに補強するための２つ以上の側縁部を含む別の構成のものであってもよい。
【００２５】
次に図３Ａを参照すると例示の実施形態の一態様に係る、パウチ４０６の口栓４００内に配置された硬質内側支持材３００を備えた例示のボトルパウチ４０６の概略図が示されている。硬質内側支持材３００は、広げられていない姿勢の状態で口栓４００を通してボトルパウチ４０６内に滑り込まされる。硬質内側支持材３００の係合機構３０４が、パウチ４０６の口栓４００にかみ合って、硬質内側支持材３００がパウチ４０６の中に落下するのを防ぐ。硬質内側支持材３００は、取っ手部３０８と前縁部または側縁部３１０も含む。取っ手部３０８は、取っ手領域４１２に隣接するパウチ３０６の部分に滑り込んで、取り扱いやすくするための硬さを与える。側縁部３１０は、パウチ３０６内に滑り込むときに前縁４１４に突き当たって広がり、パウチ３０６の前縁４１４部に硬さを与える。
【００２６】
次に図３Ｂを参照すると、例示の実施形態の一態様に係る、広げられた姿勢にある、ボトルパウチ４０６の取っ手領域４１２および前縁４１４のための例示の内側支持材３００の概略図が示されている。図３Ｂの硬質内側支持材３００は、図３および図３Ａの硬質内側支持材と類似しているが、取っ手４１２の内側のための追加の硬質支持部材３０９も含む点が異なる。したがって、取っ手４１２の両側部３０８、３０９に硬質支持部材がある。硬質内側支持材３００は、係合部材３０４と、取っ手部３０８、３０９と、側縁部３１０も含む。３０８の取っ手部は、任意選択により、追加の延長脚部３０９によりパウチの底部４１６または底部４１６付近まで延長されてもよい。
【００２７】
図３、図３Ａおよび図３Ｂの実施形態の別の形態では、パウチは取っ手を有していなくてよいが、それでもパウチの縁を補強するために硬質内側支持材が使用されてよい。図３、図３Ａおよび図３Ｂのさらに別の形態では、パウチは、パウチの口栓内にロックする係合機構を含む硬質内側支持材と取っ手部とを有し得る。
【００２８】
次に図４を参照すると、取っ手４１２と前壁４２０と後壁４２１とのための硬質内側支持材３００を備えた、別の例示のボトルパウチ４０６の概略図が示されている。ボトルパウチ４０６は、ボトルパウチ４０６の内容物（図示せず）を吐出するための口栓４００を含む。口栓４００は、ボトルパウチ４０６の内容物を密閉するためのキャップ４０２も含んでよい。ボトルパウチ４０６は、前部垂直壁のための縁部４１４、４１８と、後部垂直壁４２１のための縁部４１５、４１７と、底面４１６部も含む。ボトルパウチ４０６は、ボトルパウチ４０６の内容物を注ぎやすくするように機能する取っ手４１２を備えた、固体または液体の内容物を吐出するための任意の適合する形状のものとすることができる。ボトルパウチ４０６は軟質型材料からなるため脆弱で、したがって、液体または固体内容物を吐出するのが難しく、特にボトルパウチ４０６の残り内容物の量が減少すると難しい。したがって、ボトルパウチ４０６の特定の部分における硬さを増し、扱いやすさを向上させるために、ボトルパウチ４０６内に硬質内側支持材３００が挿入される。図４の例示の硬質内側支持材３００は、ボトルパウチ４０６の口栓４００にロックする広げられた姿勢にある係合機構３０４と、取っ手部３０８と、２つの垂直脚３１０、３１１およびパウチの底部前縁４１９またはその付近にある任意選択の水平脚３１２を含む前部垂直壁部とを含む。前部垂直壁部は、パウチ４０６の前壁４２０を補強する２つの垂直脚３１０、３１１と任意選択の水平脚３１２とを含む。例示の硬質内側支持材３００は、ボトルパウチ４０６の内部にあり、パウチ４０６を取り扱いやすくし、内容物を注ぎやすくするために取っ手４１２と前壁４２０における硬さを増強する。
【００２９】
次に図４Ａを参照すると、例示の一実施形態の一態様に係る、パウチ４０６の口栓４００内に配置された硬質内側支持材３００を備えた例示のボトルパウチ４０６の概略図が示されている。硬質内側支持材３００は、広げられていない姿勢にある状態で口栓４００を通してボトルパウチ４０６内に滑り込まされる。硬質内側支持材３００の係合機構３０４がパウチ４０６の口栓４００にかみ合い、硬質内側支持材３００が中に落下するのを防ぐ。硬質内側支持材３００は、取っ手部３０８と、２つの垂直脚３１０、３１１およびパウチ４０６の底部前縁３１２またはその付近にある任意選択の水平脚３１２を含む前部垂直壁部とを含む。取っ手部３０８は、取り扱いやすくするための硬さを与えるために、取っ手４１２に隣接するパウチ３０６の部分に滑り込む。前部垂直壁部３１０、３１１、３１２は、パウチ３０６に滑り込むときに前部垂直壁４１４に突き当たって広がり、パウチ３０６の前部に硬さを与える。
【００３０】
次に図４Ｂを参照すると、例示の一実施形態の一態様に係る、広げられた姿勢にあるボトルパウチ４０６の取っ手領域４１２と前部垂直壁縁部３１０、３１１、３１２のための、例示の内側支持材３００の概略図が示されている。図４Ｂの硬質内側支持材３００は、図４および図４Ａの硬質内側支持材に類似しているが、取っ手４１２の内側のための追加の硬質支持部材３０９も含む点が異なる。したがって、取っ手４１２の両側部３０８、３０９に硬質支持部材がある。硬質内側支持材３００は、係合部材３０４と、取っ手部３０８と、前部垂直壁部３１０、３１１、３１２も含む。取っ手部は、任意選択により追加の延長脚部３０９によってパウチ４０６の底部４１６またはその付近まで延長されてもよい。図４、図４Ａおよび図４Ｂの実施形態の別の形態では、パウチは取っ手を持たなくてもよいが、パウチの垂直前壁を補強するためにやはり硬質内側支持材を使用してもよい。図４、図４Ａおよび図４Ｂの実施形態のさらに別の形態では、パウチは、パウチの口栓にロックする係合機構を含む硬質内側支持材と取っ手部とを有してもよい。
【００３１】
次に図５を参照すると、例示の一実施形態の一態様に係る、側縁１０８、１１０と任意選択により底部縁１１２とのためにパウチ１０６の口栓１００内に配置された硬質内側支持材２００を備えた、例示のチューブパウチ１０６の概略図が示されている。チューブパウチ１０６は、側縁１０８、１１０と底部縁１１２と、口栓１００とキャップ（図示せず）とを含む。チューブパウチは、液体（高粘度または低粘度）または固体を収容することができる。硬質内側支持部材２００を使用しない場合、チューブパウチは、特に内容物が消費されると一般に脆弱である。例えば図１Ｂに示すように、硬質内側支持材２００は、口栓１００開口部に滑り込み、係合部材２０４が口栓１００に係合し、ロックする。硬質内側支持材２００は、係合部材２０４と、側脚２０８、２１０と、任意選択の底部脚２１２とを含む。側脚２０８、２１０は、パウチ１０６の側縁１０８、１１０に突き当たって広がり、パウチ１０６のこの領域を補強し、横方向の支持を与えるのに役立つ。任意選択の底部脚２１２は、底部縁１１２に突き当たって広がり、パウチ１０６のこの領域を補強し、底部支持を与えるのに役立つ。
【００３２】
次に図５Ａを参照すると、例示の一実施形態の一態様に係る、チューブパウチの側部と任意選択により底部とのための例示の内側支持材２００の概略図が示されている。硬質内側支持材２００は、口栓と組み合うための係合部２０４と、側脚２０８、２１０、および任意選択の底部脚２１２とを含む。硬質内側支持材２００がチューブパウチの口栓に滑り込まされ、係合部材２０４によって所定位置に保持された後、側脚２０８、２１０と任意選択の底部脚２１２とがパウチの側縁および底部に突き当たって広がる。
【００３３】
次に図５Ｂを参照すると、例示の一形態の一態様に係る、チューブパウチの側部および任意選択の底部のための、例示の内側支持材２００の概略図が示されている。硬質内側支持材２００は、口栓と組み合うための係合部２０４と、「Ｖ」字型に互いに接続された側脚２０８、２１０とを含む。硬質内側支持材２００がチューブパウチの口栓内に滑り込み、係合部材２０４によって所定位置に保持された後、側脚２０８、２１０がパウチの側縁と、底部または底部付近に突き当たって広がる。したがって、この形態では、図５および図５Ａに示すような横方向の支持がなく、「Ｖ」字の最上部で接続された２つの側脚２０８、２１０のみがある。
【００３４】
次に図６を参照すると、例示の一実施形態の一態様に係る、口栓１００と、口栓１００のふちまたは溝１０１に滑り込まされる内側支持材２００係合部材２０４との切り欠き概略図が示されている。係合部材２０４は、口栓１００の内径よりも小さい外径を有する。係合部材２０４は、口栓１００の内側上のふちまたは溝１０１と係合するふち２０１を含む。係合部材のふち２０１は、口栓１００のふち１０１の突起部にスナップ式にはまり、係合部材を所定の位置に保持する。
【００３５】
次に図６Ａを参照すると、例示の実施形態の一態様に係る、口栓１００と、口栓１００のふちまたは溝１０１にロックされた内側支持材２００係合部材２０４との切り欠き概略図が示されている。内側支持材２００の係合部材２０４は、係合部材２０４のふち２０１が口栓１００の内径上のふちまたは溝１０１にロックすることによって、口栓１００にスナップ式にはまる。これは、硬質内側支持材２００をパウチの口栓１００に接続またはロックすることができる１つの例示の非限定的方法であるが、他の同様の方法も考えられる。
【００３６】
次に図７を参照すると、例示の実施形態の一態様に係る、口栓１００と、口栓１００の突起部または溝部１０１に滑り込まされる内側支持材２００係合部材２０４との、切り欠き概略図が示されている。係合部材２０４は、口栓１００の内径よりも小さい外径を有する。係合部材２０４は、口栓１００の内側上の突起部または溝部１０１に係合する少なくとも１つの歯２０１を含む。係合部材２０４のこの少なくとも１つの歯２０１は、口栓１００のふち１０１の突起部または溝部１０１にロックして、係合部材２０４を所定位置に保持する。
【００３７】
次に図７Ａを参照すると、例示の実施形態の一態様に係る、口栓１００と、口栓１００の突起部または溝部１０１にロックされた内側支持材２００係合部２０４との、切り欠き概略図が示されている。係合部２０４は、口栓１００の内径上の突起部または溝部１０１と係合する少なくとも１つの歯２０１を含む。係合部材２０４のこの少なくとも１つの歯２０１は、口栓１００のふち１０１の突起部または溝部１０１にロックして係合部材２０４を所定位置に保持する。これは、硬質内側支持材２００をパウチの口栓１００に接続またはロックすることができる１つの例示の非限定的方法であるが、他の同様の方法も考えられる。
【００３８】
次に図８を参照すると、例示の一実施形態の一態様に係る、取っ手の内側部分がパウチ本体内を通る、取っ手のための内側および外側支持材を備えた、例示のボトルパウチの概略図が示されている。図８の内側支持材５００を備えたボトルパウチは、口栓５１０の内法径または内径を通って軟質パウチ本体５０５の（パウチの内容物が格納される）内部に延びる内側支持取っ手要素５２０に接続結合された口栓５１０を備えた、パウチ内容物（図示せず）を格納するための軟質パウチ本体５０５を含む。一形態では、口栓５１０と内側支持取っ手要素５２０とは、口栓５１０に射出成形され、口栓５１０の内側５５０を通って軟質パウチ本体５０５内に延びる内側支持取っ手要素５２０を備えた連続した一体要素であってよい。この形態では、口栓５１０と内側支持取っ手要素５２０との組み合わせは一体であり、ボトルパウチ５００の取っ手領域５１２を補強するための硬質取っ手部５３０（外側支持取っ手要素とも呼ぶ）を含む。ボトルパウチの取っ手領域５１２は、ユーザが、取っ手領域５１２に隣接した、または取っ手領域５１２内の、硬質取っ手部５３０を把持するために手を挿入するためのパウチ内の切り欠きまたは凹みがある、軟質パウチ５５０の領域である。別の形態では、口栓５１０と内側支持取っ手要素５２０との組み合わせは、互いに結合された２つの別々の要素であってもよい。この形態では、口栓５１０は、（図１に示すような）口栓内側係合機構を含み、内側支持取っ手要素５２０は、（図１Ｂに示すような）内側支持取っ手要素係合機構を含み、口栓内側係合機構と内側支持取っ手要素係合機構とがかみ合わされて、内側支持取っ手要素５２０が軟質パウチ本体５０５内に、または軟質パウチ本体５０５から落下するのを防ぐ。この形態では、口栓５１０と内側支持取っ手要素５２０との組み合わせは、ボトルパウチの硬質取っ手５３０を形成する内側支持取っ手要素から延びる硬質取っ手部５３０（外側支持取っ手要素とも呼ぶ）も含む。硬質取っ手部５３０は、内側支持取っ手要素から直線的に延び、内側支持取っ手要素と一体になった単一の外側支持取っ手要素であることが好ましいが、任意選択により内側支持取っ手要素５２０から延びた第２の外側支持取っ手要素（図示せず）を含んでもよい。硬質取っ手部が第２の外側支持取っ手要素を含む場合、第１および第２の外側支持取っ手要素は、内側支持取っ手要素の端部から「Ｙ」字形構成に広がって、ユーザが２つの近接して配置された硬質取っ手部を把持することができるようにし、これは大型の重いボトルパウチの場合に有利な場合がある。
【００３９】
再び図８を参照すると、内側支持取っ手要素５２０がボトルパウチ５００の（パウチの内容物が格納される）内部からボトルパウチ５００の外側まで通って、外側支持取っ手要素５３０となる。外側支持取っ手要素５３０は、ボトルパウチ５００の取っ手領域５１２に隣接して、または近接して配置される。外側支持取っ手要素５３０は、ボトルパウチ５００の取っ手として機能するとともに、ボトルパウチ５００の取っ手領域５１２を補強する。硬質取っ手部５３０は、扱いやすくするための硬さを与えるように取っ手部５１２に隣接した軟質パウチ本体５０５の部分に滑り込まされる。内側支持取っ手部５２０はボトルパウチ５００の口栓５１０の内法径または内径５５０を通って軟質パウチ本体５０５内に通る。次に、内側支持取っ手要素５２０は、軟質パウチ本体５０５から、取っ手領域５１２に近接したボトルパウチ５００の外側シール領域５６０を通って、軟質パウチ本体５０５の外側に位置する外側支持取っ手要素５３０となる。外側支持取っ手要素５３０は、ボトルパウチ５００の取っ手領域５１２を補強するとともに、軟質パウチ本体５０５内部の内容物（図示せず）を口栓５１０を通してボトルパウチ５００の外部に吐出しているときにボトルパウチ５００を取り扱いやすくすることができる。
【００４０】
次に図９を参照すると、例示の一実施形態の一態様に係る、取っ手の内側部分がパウチ内を通る、取っ手のための内側および外側支持材を備えた、別の例示のパウチの概略図が示されている。図９の内側支持材５００を備えたボトルパウチは、口栓５１０の内法径または内径を通って軟質パウチ本体５０５の（パウチの内容物が格納される）内部に延びる内側支持取っ手要素５２０に結合された口栓５１０を備えた、パウチ内容物（図示せず）を格納するための軟質パウチ本体５０５を含む。一形態では、口栓５１０と内側支持取っ手要素５２０とは、口栓５１０に射出成形され、口栓５１０の内法径または内径５５０を通って軟質パウチ本体５０５内に延びる、内側支持取っ手要素５２０を備えた連続した一体要素であってよい。この形態では、口栓５１０と内側支持取っ手要素５２０との組み合わせは一体であり、ボトルパウチ５００の取っ手領域５１２を補強するための硬質取っ手部５３０（外側支持取っ手要素とも呼ぶ）を含む。ボトルパウチの取っ手領域５１２は、ユーザが、取っ手領域５１２に隣接した、または取っ手領域５１２内の、硬質取っ手部５３０を把持するために手を挿入するためのパウチ内の切り欠きまたは凹みがある、軟質パウチ５５０の領域である。別の形態では、口栓５１０と内側支持取っ手要素５２０との組み合わせは、互いに結合された２つの別々の要素であってもよい。この形態では、口栓５１０は、（図１に示すような）口栓内側係合機構を含み、内側支持取っ手要素５２０は（図１Ｂに示すような）内側支持取っ手要素係合機構を含み、口栓内側係合機構と内側支持取っ手要素係合機構とがかみ合わされて、内側支持取っ手要素５２０が軟質パウチ本体５０５内部に、または軟質パウチ本体５０５から落下するのを防ぐ。この形態では、口栓５１０と内側支持取っ手要素５２０との組み合わせは、ボトルパウチ５００の硬質取っ手を形成する内側支持取っ手要素５２０から延びる硬質取っ手部５３０（外側支持取っ手要素とも呼ぶ）も含む。硬質取っ手部５３０は、内側支持取っ手要素から直線的に延び、内側支持取っ手要素と一体となった単一の外側支持取っ手要素であることが好ましいが、任意選択により、内側支持取っ手要素５２０から延びる第２の外側支持取っ手要素（図示せず）を含んでもよい。硬質取っ手部が第２の外側支持取っ手要素を含む場合、第１および第２の外側支持取っ手要素は、内側支持取っ手要素の端部から「Ｙ」字形構成に広がって、ユーザが２つの近接して配置された硬質取っ手部を把持することができるようにし、これは大型の重いボトルパウチの場合に有利な場合がある。
【００４１】
再び図９を参照すると、内側支持取っ手要素５２０はボトルパウチ５００の（パウチの内容物が格納される）内部からボトルパウチ５００の外側まで通って外側支持取っ手要素５３０となる。外側支持取っ手要素５３０は、ボトルパウチ５００の取っ手領域５１２に隣接して、または近接して配置される。次に、外側支持取っ手要素５３０は、パウチ５００の内部に戻り、さらに任意選択により、（パウチの内容物が格納される）軟質パウチ本体５０５内に戻り、第２の内側支持取っ手要素５４０となる。別の形態では、第２の内側支持取っ手要素５４０は、軟質パウチ本体５０５内に戻るのではなく、ボトルパウチ５００のシール領域５８０内にとどまってもよい。外側支持取っ手要素５３０は、ボトルパウチ５００の取っ手として機能するとともに、ボトルパウチ５００の取っ手領域５１２を補強する。硬質取っ手部５３０は、取っ手領域５１２に隣接する軟質パウチ本体５０５の部分に滑り込まされて、扱いやすくするための硬さを与える。内側支持取っ手要素５２０は、ボトルパウチ５００の口栓５１０の内側５５０を通り、次に軟質パウチ本体５０５内に入る。次に内側支持取っ手要素５２０は軟質パウチ本体５０５から、取っ手領域５１２の上部または最上部近傍のボトルパウチ５００の外側シール領域５６０を通り、軟質パウチ本体５０５の外側に位置する外側支持取っ手要素５３０となる。外側支持取っ手要素５３０は次にパウチ５００の外側から、取っ手領域５１２の下部または底部近傍のボトルパウチ５００の外側シール領域５７０を通って軟質パウチ本体５０５内に戻り、（内容物が位置する）軟質パウチ本体５０５内部に位置する第２の内側支持取っ手要素５４０となる。外側支持取っ手要素５３０は、ボトルパウチ５００の取っ手領域５１２を補強するとともに、口栓５１０を通して軟質パウチ本体５０５内部の内容物（図示せず）をボトルパウチ５００の外部に吐出しているときにボトルパウチ５００を扱いやすくすることができる。
【００４２】
次に図１０を参照すると、例示の一実施形態の別の態様に係る、取っ手の内側部分が軟質パウチの内容物内を通らない、取っ手のための内側および外側支持材を備えた例示のボトルパウチの概略図が示されている。図１０の取っ手のための内側および外側支持材を備えたボトルパウチ６００は、軟質パウチ本体６０５の外周面に取り付けられた、パウチ６００の内容物が格納される場所の外側にある外側スリーブまたはループ６２５（シール領域６５０と６６０との間の部分）内に延びる内側支持取っ手要素６２０に結合された口栓６１０を備えた、パウチ内容物（図示せず）を格納するための軟質パウチ本体６０５を含む。外側スリーブまたはループ６２５は、軟質パウチまたは軟質パウチ本体の外周面と一体となっている。これは全体として軟質パウチと同じ材料から作られ、したがって概ね軟質であり、図１０ないし図１３に示すように半硬質または硬質の円筒形状のロッドまたは物体が通り得る内部導管を備える。一形態では、口栓６１０と内側支持取っ手要素６２０とは、口栓６１０の外面、外径、または外側肩部６１５において口栓６１０に射出成形され、軟質パウチ本体６０５に取り付けられた外側スリーブまたはループ６２５内に延びる、内側支持取っ手要素６２０を備えた、連続した一体要素であってよい。この形態では、口栓６１０と内側支持取っ手要素６２０との組み合わせは一体となっており、ボトルパウチ６００の取っ手領域６１２を補強するための硬質取っ手部６３０（外側支持取っ手要素とも呼ぶ）も含む。ボトルパウチの取っ手領域６１２は、ユーザが、取っ手領域６１２に隣接した、または取っ手領域６１２内にあるユーザが硬質取っ手部６３０を把持するために手を挿入するためのパウチ内の切り欠きまたは凹みが存在する、パウチ６００の領域である。別の形態では、口栓６１０と内側支持材要素６２０との組み合わせは、スリップリング型機構によって互いに結合された２つの別々の要素であってもよい。図１Ａを参照されたい。この形態では、内側支持取っ手要素６２０は、その端部に、口栓６１０上を滑って口栓６１０の肩部またはカラー（図示せず）と６１５における圧入型機構で嵌合するスリップリング６１５を含む。これは、内側支持取っ手要素６２０を口栓６１０とかみ合わせて、口栓と内側支持取っ手要素との組み合わせを形成するとともに、内側支持取っ手要素６２０をボトルパウチ６００の外側スリーブまたはループ６２５内に滑り込ませることができるようにする。外側スリーブまたはループ６２５は、内側支持取っ手要素６２０をボトルパウチ６００に固定し、これはボトルパウチ６００の最上部領域を補強し、硬さを与える役割を果たす。口栓６１０と内側支持取っ手要素６２０との組み合わせは、ボトルパウチ６００の硬質取っ手を形成する内側支持取っ手要素６２０から延びる硬質取っ手部６３０（外側支持取っ手要素とも呼ぶ）も含む。硬質取っ手部６３０は、内側支持取っ手要素から直線的に延び、内側支持取っ手要素と一体になった単一の外側支持取っ手要素であることが好ましいが、任意選択により、内側支持取っ手要素６２０から延びる第２の外側支持取っ手要素（図示せず）を含んでもよい。硬質取っ手部が第２の外側支持取っ手要素を含む場合、第１および第２の外側支持取っ手要素は、内側支持取っ手要素の端部から「Ｙ」字形構成に広がって、ユーザが２つの近接して配置された硬質取っ手部を把持することができるようにし、これは大型の重いボトルパウチの場合に有利な場合がある。
【００４３】
再び図１０を参照すると、内側支持取っ手要素６２０および／または硬質取っ手部６３０（図１１、図１２および図１３も参照）を滑り込ませることができる、軟質パウチ本体の外周面に結合された少なくとも１つ、または２つ、または３つ、または４つの外側スリーブまたはループがあってよい。図１０ないし図１３の場合、この少なくとも１つの外側スリーブまたはループは、長さが、５ｍｍないし２５０ｍｍ、または１０ｍｍないし２００ｍｍ、または２０ｍｍないし１５０ｍｍ、または５０ｍｍないし１００ｍｍの範囲であってよい。図１０ないし図１３の場合、この少なくとも１つの外側スリーブまたはループは、内径が、１ｍｍないし５０ｍｍ、または５ｍｍないし２５ｍｍ、または８ｍｍないし２０ｍｍ、または１０ｍｍないし１５ｍｍの範囲であってよい。この少なくとも１つの外側スリーブまたはループの内法径または内径は、スリーブまたはループの全長にわたって概ね一定している。内側支持取っ手要素と外側支持取っ手要素との総外径は、内側支持取っ手要素と外側支持取っ手要素とをその少なくとも１つの外側スリーブまたはループを容易に滑り抜けさせることができるように、その少なくとも１つの外側スリーブまたはループの内径よりもわずかに（０．５ｍｍないし１０ｍｍ、または１ｍｍないし７ｍｍ、または２ｍｍないし５ｍｍ）小さい。したがって、内側支持取っ手要素と外側支持取っ手要素とが合わさった外法径または外径は、０．５ｍｍないし４８ｍｍ、または３ｍｍないし２３ｍｍ、または６ｍｍないし１８ｍｍ、または７ｍｍないし１２ｍｍの範囲であってよい。内側支持取っ手要素と外側支持取っ手要素とが合わさった外法径または外径も、その全長にわたって概ね一定である。
【００４４】
再び図１０を参照すると、内側支持取っ手要素６２０は、ボトルパウチ６００の外側スリーブまたはループ６２５の内部からボトルパウチ６００の外側まで通って外側支持取っ手要素６３０（硬質取っ手部とも呼ぶ）となる。外側支持取っ手要素６３０は、ボトルパウチ６００の取っ手領域６１２に隣接してまたは近接して配置される。外側支持取っ手要素６３０は、ボトルパウチ６００の取っ手として機能するとともに、ボトルパウチ６００の取っ手領域６１２を補強する。内側支持取っ手要素６２０は、ボトルパウチ６００の６１５における口栓の外側から軟質パウチ本体６０５の少なくとも１つの外側スリーブまたはループ６２５内に通る。内側支持取っ手要素６２０は、次に、取っ手領域６１２の近傍の外側スリーブまたはループ６２５の外側を通り、軟質パウチ本体６０５の外側に位置する外側支持取っ手要素６３０となる。外側支持取っ手要素６３０は、ボトルパウチ６００の取っ手領域６１２を補強するとともに、軟質ボトルパウチ本体６０５内部の内容物（図示せず）を口栓６１０を通してボトルパウチ６００の外部に吐出しているときにボトルパウチ６００を取り扱いやすくすることができる。
【００４５】
次に図１１を参照すると、例示の一実施形態の別の態様に係る、取っ手の内側部分が軟質パウチ本体内を通らない、取っ手のための内側および外側支持材を備えた例示のボトルパウチの別の概略図が示されている。図１１は図１０と類似しているが、内側支持取っ手要素を軟質パウチ本体６０５の外周面に固定するための外側スリーブまたはループ６２５の長さがより短く、単一のスリーブではなく単一のループである点が異なる。図１１の取っ手のための内側および外側支持材を備えたボトルパウチ６００は、軟質パウチ本体６０５の最上部の外周面の周囲に延びる内側支持取っ手要素６２０に結合された口栓６１０を備えた、パウチ内容物（図示せず）を格納するための軟質パウチ本体６０５を含む。次に、内側支持取っ手要素６２０は、軟質パウチ本体６０５の外周面に取り付けられた、パウチ６００の内容物が格納される部分の外側にある外側スリーブまたはループ６２５（シール領域６５０と６６０との間の部分）内に延びる。図１０に示すように、口栓６１０と内側支持取っ手要素６２０とは、内側支持取っ手要素６２０が、口栓６１０の外面、カラーまたは肩部６１５において口栓６１０に射出成形された、連続した一体要素であってよい。この形態では、口栓６１０と内側支持取っ手要素６２０との組み合わせは一体であり、ボトルパウチ６００の取っ手領域６１２を補強するための硬質取っ手部６３０（外側支持取っ手要素とも呼ぶ）も含む。ボトルパウチの取っ手領域６１２は、ユーザが、取っ手領域６１２に隣接する、または取っ手領域内にある硬質取っ手部６３０を把持するために手を挿入するためのパウチ内の切り欠きまたは凹みが存在する、軟質パウチ６００の領域である。別の形態では、口栓６１０と内側支持取っ手要素６２０との組み合わせは、スリップリング型の機構によって互いに結合された２つの別々の要素であってよい。図１Ａを参照されたい。この形態では、内側支持取っ手要素６２０はその端部に、口栓６１０の上を滑って６１５における圧入型機構において口栓６１０の肩部またはカラー（図示せず）に嵌合するスリップリング６１５を含む。これは、内側支持取っ手要素６２０を口栓６１０とかみ合わせて、口栓と内側支持取っ手要素との組み合わせを形成する。外側スリーブまたはループ６２５が、内側支持取っ手要素６２０をボトルパウチ６００に固定し、これはボトルパウチ６００の最上部領域を補強し、硬さを与える役割を果たす。口栓６１０と内側支持取っ手要素６２０との組み合わせは、ボトルパウチ６００の硬質取っ手を形成する内側支持取っ手要素６２０から延びる硬質取っ手部６３０（外側支持取っ手要素とも呼ぶ）も含む。硬質取っ手部６３０は、内側支持取っ手要素から直線的に延び、内側支持取っ手要素と一体となった単一の外側支持取っ手要素であることが好ましいが、任意選択により、内側支持取っ手要素６２０から延びる第２の外側支持取っ手要素（図示せず）を含んでもよい。硬質取っ手部が第２の外側支持取っ手要素を含む場合、第１および第２の外側支持取っ手要素は、内側支持取っ手要素の端部から「Ｙ」字形構成に広がって、ユーザが２つの近接して配置された硬質取っ手部を把持することができるようにし、これは大型の重いボトルパウチの場合に有利な場合がある。
【００４６】
図１１のボトルパウチは、内側支持取っ手要素６２０をボトルパウチ６００の軟質パウチ本体６０５にさらに固定するために、取っ手領域６１２の上方の軟質パウチ本体６０５の外周面に結合された、追加の１つ、２つ、または３つの外側スリーブまたはループも含んでよい。再び図１１を参照すると、内側支持取っ手要素６２０は、ボトルパウチ６００の外側スリーブまたはループ６２５の内部から取っ手領域６１２に近接または隣接したボトルパウチ６００の外側まで延びて、外側支持取っ手要素または硬質取っ手部６３０となる。硬質取っ手部または外側支持取っ手要素６３０は、ボトルパウチ６００の取っ手として機能するとともに、ボトルパウチ６００の取っ手領域６１２を補強し、軟質パウチ本体６０５の内部の内容物（図示せず）を口栓６１０を通してボトルパウチ６００の外部に吐出しているときにボトルパウチ６００を扱いやすくすることができる。
【００４７】
次に図１２を参照すると、例示の一実施形態の別の態様に係る、取っ手の内側部分が軟質パウチ本体内を通らない、取っ手のための内側および外側支持材を備えた例示のボトルパウチのさらに別の概略図が示されている。図１２は図１０と類似しているが、硬質取っ手部または外側支持取っ手要素６３０を、軟質パウチ本体６０５の取っ手領域６１２の下の軟質パウチ本体６０５の外周面に固定するための、第２の外側スリーブまたはループ６３５を含む点が異なる。図１２の取っ手のための内側および外側支持材を備えたボトルパウチ６００は、軟質パウチ本体６１０の最上部の外周面の周囲に延びる内側支持取っ手要素６２０に結合された口栓６０５を備えた、パウチ内容物（図示せず）を格納するための軟質パウチ本体６０５を含む。次に、内側支持取っ手要素６２０は、軟質パウチ本体６０５の外周面に取り付けられた、パウチ６００の内容物が格納される部分の外側にある外側スリーブまたはループ６２５（シール領域６５０と６６０との間の部分）内に延びる。図１０および図１１に示すように、口栓６１０と内側支持取っ手要素６２０とは、内側支持取っ手要素６２０が口栓６１０の外面、カラーまたは肩部６１５において口栓６１０に射出成形された、連続した一体要素であってよい。この形態では、口栓６１０と内側支持取っ手要素６２０との組み合わせは一体であり、ボトルパウチ６００の取っ手領域６１２を補強するための硬質取っ手部６３０（外側支持取っ手要素とも呼ぶ）も含む。ボトルパウチの取っ手領域６１２は、ユーザが、取っ手領域６１２に隣接する、または取っ手領域内にある、硬質取っ手部６３０を把持するために手を挿入するためのパウチ内の切り欠きまたは凹みが存在する、軟質パウチ６００の領域である。別の形態では、フィラメント６１０と内側支持取っ手要素６２０との組み合わせは、スリップリング型機構によって互いに結合された２つの別々の要素であってよい。図１Ａを参照されたい。この形態では、内側支持取っ手要素６２０はその端部に、口栓６１０の上を滑って６１５における圧入型機構において口栓６１０の肩部またはカラー（図示せず）と嵌合するスリップリング６１５を含む。これは、内側支持取っ手要素６２０を口栓６１０にかみ合わせ、または固定して、口栓と内側支持取っ手要素との組み合わせを形成する。外側スリーブまたはループ６２５が、内側支持取っ手要素６２０をボトルパウチ６００に固定し、これはボトルパウチ６００の最上部領域を補強し、硬さを与える役割を果たす。口栓６１０と内側支持取っ手要素６２０との組み合わせは、ボトルパウチ６００の硬質取っ手を形成する内側支持取っ手要素６２０から延びる硬質取っ手部６３０（外側支持取っ手要素とも呼ぶ）も含む。硬質取っ手部６３０は、内側支持取っ手要素から直線的に延び、内側支持取っ手要素と一体となった単一の外側支持取っ手要素であることが好ましいが、任意選択により、内側支持取っ手要素６２０から延びる第２の外側支持取っ手要素（図示せず）を含んでもよい。硬質取っ手部が第２の外側支持取っ手要素を含む場合、第１および第２の外側支持取っ手要素は、内側支持取っ手要素の端部から「Ｙ」字形構成に広がって、ユーザが２つの近接して配置された硬質取っ手部を把持することができるようにし、これは大型の重いボトルパウチの場合に有利な場合がある。
【００４８】
再び図１２を参照すると、内側支持取っ手要素６２０は、ボトルパウチ６００の外側スリーブまたはループ６２５の内部から、取っ手領域６１２に近接または隣接するボトルパウチ６００の外側に通って、外側支持取っ手要素または硬質取っ手部６３０となる。硬質取っ手部または外側支持取っ手要素６３０は、ボトルパウチ６００の取っ手として機能するとともに、ボトルパウチ６００の取っ手領域６１２を補強し、軟質パウチ本体６０５内部の内容物（図示せず）を口栓６１０を通してボトルパウチ６００の外部に吐出しているときにボトルパウチ６００を扱いやすくすることができる。図１２のボトルパウチ６００は、内容物を吐出しているときにボトルパウチにさらなる安定性と硬さとを与えるために、硬質取っ手部または外側支持取っ手要素６３０の端部６４０を、ボトルパウチ６００の取っ手領域６１２の下の軟質パウチ本体６０５の外周面に固定するための、追加の外側スリーブまたはループ６３５も含む。取っ手領域６１２の下に追加の外側スリーブまたはループ６３５を備えた図１２のボトルパウチは、任意選択により、硬質取っ手部または外側支持取っ手要素６３０の端部６４０をボトルパウチ６００の軟質パウチ本体６０５の外周面にさらに固定するために、取っ手領域６１２の下の軟質パウチ本体の外側外周面に結合された、さらに１つ、２つ、または３つの追加の外側スリーブまたはループも備えてよい。取っ手領域６１２の下の追加の外側スリーブまたはループ６３５の必要性と、数と長さとは、硬質取っ手部６３０の長さに依って決まることになる。
【００４９】
次に図１３を参照すると、例示の一実施形態の別の態様に係る、取っ手の内側部分が軟質パウチ本体内を通らない、取っ手のための内側および外側支持材を備えた、例示のボトルパウチのさらに別の概略図が示されている。図１３は図１０と類似しているが、内側支持取っ手要素６２０を軟質パウチ本体６０５の外周面に固定するための外側スリーブまたはループ６２５の長さがより短く、ボトルパウチ６００の取っ手領域６１２の上方に、単一のスリーブではなく２つのループ６２５、６２７を含む点が異なる。図１３の取っ手のための内側および外側支持材を備えたボトルパウチ６００は、軟質パウチ本体６０５の最上部の外周面の周囲に延びる内側支持取っ手要素６２０に結合された口栓６１０を備えた、パウチ内容物（図示せず）を格納するための軟質パウチ本体６０５を含む。次に、内側支持取っ手要素６２０は、軟質パウチ本体６０５の外周面に取り付けられた、パウチ６００の内容物が格納される部分の外側にある、第１の外側スリーブまたはループ６２５（シール領域６５０と６６０との間の部分）内に延びる。図１０、図１１および図１２のように、口栓６１０と内側支持取っ手要素６２０とは、内側支持取っ手要素６２０が口栓６１０の外面、カラーまたは肩部６１５において口栓６１０に成形された、連続した一体要素であってよい。この形態では、口栓６１０と内側支持取っ手要素６２０との組み合わせは、一体となっており、ボトルパウチ６００の取っ手領域６１２を補強するための硬質取っ手部６３０（外側支持取っ手要素とも呼ぶ）も備える。ボトルパウチの取っ手領域６１２は、ユーザが、取っ手領域６１２に隣接する、または取っ手領域内にある、硬質取っ手部６３０を把持するために手を挿入するためのパウチ内の切り欠きまたは凹みが存在する、軟質パウチ６００の領域である。別の形態では、口栓６１０と内側支持取っ手要素６２０との組み合わせは、スリップリング型機構によって互いに結合された２つの別々の要素であってよい。図１Ａを参照されたい。この形態では、内側支持取っ手要素６２０はその端部に、口栓６１０の上を滑って、６１５における圧入型機構において口栓６１０の肩部またはカラー（図示せず）と嵌合するスリップリング６１５を含む。これは、内側支持取っ手要素６２０を口栓６１０にかみ合わせ、または固定して、口栓と内側支持取っ手要素との組み合わせを形成する。図１３のボトルパウチは、軟質パウチ本体６０５の外周面に取り付けられた、取っ手領域６１２の上方に位置する第２の外側ループまたはスリーブ６２７も含む。また、内側支持取っ手要素６２０は、軟質パウチ本体６０５にさらに固定するために第２の外側スリーブまたはループ６２７内に延び、やはりパウチ６００の内容物が格納される部分の外側にある。２つの外側スリーブまたはループ６２５、６２７は、内側支持取っ手要素６２０をボトルパウチ６００に固定し、これはボトルパウチ６００の最上部領域を補強し、硬さを与える役割を果たす。あるいは、図１３のボトルパウチは、内側支持取っ手要素６２０をボトルパウチ６００の軟質パウチ本体６０５にさらに固定するために、取っ手領域６１２の上方の軟質パウチ本体６０５の外周面に結合された追加の１つ、２つ、または３つのスリーブまたはループも含んでよい。取っ手領域６１２の上方のこれらの追加の外側スリーブまたはループ６２５、６２７の必要性と、数と長さとは、内側支持取っ手要素６２０の長さとパウチ６００の大きさとに依存することになる。口栓６１０と内側支持取っ手要素６２０との組み合わせは、ボトルパウチ６００の硬質取っ手を形成する内側支持取っ手要素６２０から延びる硬質取っ手部６３０（外側支持取っ手要素とも呼ぶ）も含む。硬質取っ手部６３０は、内側支持取っ手要素から直線的に延び、内側支持取っ手部と一体になった単一の外側支持取っ手要素であることが好ましいが、任意選択により、内側支持取っ手要素６２０から延びる第２の外側支持取っ手要素（図示せず）を含んでよい。硬質取っ手部が第２の外側支持取っ手要素を含む場合、第１および第２の外側支持取っ手要素は、内側支持取っ手要素の端部から「Ｙ」字形構成に広がって、ユーザが２つの近接して配置された硬質取っ手部を把持することができるようにし、これは大型の重いボトルパウチの場合に有利な場合がある。
【００５０】
再び図１３を参照すると、内側支持取っ手要素６２０が、ボトルパウチ６００の第２の外側スリーブまたはループ６２７の内部から、取っ手領域６１２に近接または隣接したボトルパウチ６００の外側まで通り、外側支持取っ手要素または硬質取っ手部６３０となる。硬質取っ手部または外側支持取っ手要素６３０は、ボトルパウチ６００の取っ手として機能するとともに、ボトルパウチ６００の取っ手領域６１２を補強し、軟質パウチ本体６０５内部の内容物（図示せず）を口栓６１０を通してボトルパウチ６００の外部に吐出しているときにボトルパウチ６００を扱いやすくすることができる。図１３のボトルパウチ６００は、内容物を吐出しているときにボトルパウチにさらなる安定性と硬さとを与えるために、硬質取っ手部または外側支持取っ手要素６３０の端部６４０を、ボトルパウチ６００の取っ手領域６１２の下の軟質パウチ本体６０５の外周面に固定するための追加の外側スリーブまたはループ６３５も含む。取っ手領域６１２の下に追加の外側スリーブまたはループ６３５を備えた図１３のボトルパウチ６００は、任意選択により、硬質取っ手部または外側支持取っ手要素６３０の端部をボトルパウチ６００の軟質パウチ本体６０５の外周面にさらに固定するために、取っ手領域６１２の下の軟質パウチ本体の外周面に結合された、さらに１つ、２つまたは３つの追加の外側スリーブまたはループも備えてよい。取っ手領域６１２の下のこれらの追加の外側スリーブまたはループ６３５の必要性と、数と長さとは、硬質取っ手部６３０の長さとに依存することになる。
【００５１】
様々な実施形態の、本明細書に記載され、図示されている軟質パウチ本体の取っ手領域（外側支持取っ手要素とも呼ぶ）５３０、６３０は、円形、楕円形、矩形、正方形、三角形、および、取っ手領域５１２、６１２に隣接して配置された硬質取っ手部５３０、６３０をパウチのユーザが容易かつ効率的に把持することができるようにする不規則な輪郭の形状を含むがこれらには限定されない、様々な形状をとってよい。一体となった内側支持取っ手要素と外側支持取っ手要素は、０．５ｍｍないし２３ｍｍ、または３ｍｍないし１８ｍｍ、または８ｍｍないし１３ｍｍの範囲の外径を有する円筒形状であることが好ましい。
【００５２】
本明細書で開示されている内側支持材を備えたパウチは、パウチの口栓または注ぎ口に結合された内側支持材を有するため、従来技術のパウチと比較して、注ぎまたは吐出の際の改良された安定性および制御を実現する。この特徴は、従来技術のパウチでは実現されない。口栓または注ぎ口に結合されていない取っ手またはその他の硬質支持材を備えた従来技術のパウチであっても、吐出時の安定性および制御が欠けている。本開示のパウチの口栓に結合された内側支持機構は、吐出時の上記の改良された安定性と制御とを実現する。さらに、本明細書で開示されている内側支持材を備えたパウチは、パウチの内容物がほとんど使い切られているかまたはきわめて軽量な場合であっても、軟質パウチ本体材料に支えを与える。内側支持材のない従来技術のパウチは、そのような支えがなく、つぶれたり倒れたりし、それによって、パウチの内容物が空になるにつれて吐出がさらに困難になる。
【００５３】
第１の開示の実施形態の１つまたは複数の態様によると、内側支持材を備えたパウチが、軟質パウチ本体に結合された口栓と、口栓に結合され、口栓の内部を通ってパウチの内側に延びる少なくとも１つの内側支持材要素とを含む軟質パウチであって、該口栓は口栓内側係合機構を含み、少なくとも１つの内側支持材要素は内側支持材係合機構と、内側支持材係合機構から延びる少なくとも１つの内側支持材とを含み、口栓内側係合機構と内側支持材係合機構とがかみ合う、軟質パウチを含む。
【００５４】
本開示の実施形態の別の態様によると、少なくとも１つの内側支持材は取っ手として機能する。
【００５５】
本開示の実施形態の別の態様によると、取っ手として機能する少なくとも１つの内側支持材は、パウチの内部からパウチの外側に通る。
【００５６】
本開示の実施形態の別の態様によると、パウチの内側からパウチの外側に通る取っ手として機能する少なくとも１つの内側支持材は、パウチの内部に戻る。
【００５７】
本開示の実施形態の別の態様によると、少なくとも１つの内側支持材は縁支持材として機能する。
【００５８】
本開示の実施形態の別の態様によると、少なくとも１つの内側支持材要素は２つの支持材を含む。
【００５９】
本開示の実施形態の別の態様によると、２つの支持材は取っ手として機能する。
【００６０】
本開示の実施形態の別の態様によると、２つの支持材は取っ手および縁支持材として機能する。
【００６１】
本開示の実施形態の別の態様によると、少なくとも１つの内側支持材要素は３つの支持材を含む。
【００６２】
本開示の実施形態の別の態様によると、２つの支持材が取っ手として機能し、１つの支持材が縁支持材として機能する。
【００６３】
本開示の実施形態の別の態様によると、１つの支持材が取っ手として機能し、２つの支持材が側部支持材として機能する。
【００６４】
本開示の実施形態の別の態様によると、口栓は形状が、環状、楕円形または矩形である。
【００６５】
本開示の実施形態の別の態様によると、口栓は半硬質、軟質または弾性材料である。
【００６６】
本開示の実施形態の別の態様によると、口栓材料は、金属と、ガラスと、セラミックと、木材と、ポリプロピレンと、ポリスチレンと、ポリエステルと、ナイロンと、ポリエチレンと、ポリヒドロキシアルカノエートと、ポリ乳酸と、サトウキビ由来ポリエステルまたはトウモロコシ由来エタノールと、成形パルプとからなるグループから選択される。
【００６７】
本開示の実施形態の別の態様によると、かみ合った口栓内側係合機構と内側支持材係合機構とは、少なくとも１つの内側支持材要素が軟質パウチ本体内部に、および軟質パウチ本体から、落下するのを防ぐ。
【００６８】
本開示の実施形態の別の態様によると、口栓内側係合機構は略リング形状である。
【００６９】
本開示の実施形態の別の態様によると、口栓内側係合機構は、ふち、溝、凸部、歯、溝部、突起部、クリップ、および留め具からなるグループから選択される。
【００７０】
本開示の実施形態の別の態様によると、内側支持係合機構は略リング形状である。
【００７１】
本開示の実施形態の別の態様によると、内側支持材係合機構は、ふち、溝、凸部、歯、溝部、突起部、クリップ、留め具からなるグループから選択される。
【００７２】
本開示の実施形態の別の態様によると、口栓内側係合機構は、口栓の内径と一体であるか、または口栓の内径に圧入／摩擦嵌合される別個の要素である。
【００７３】
本開示の別の実施形態によると、少なくとも１つの内側支持材要素は、軟質パウチ本体と比較して剛性が等しいかまたはより大きい、半硬質、軟質または弾性材料である。
【００７４】
本開示の実施形態の別の態様によると、少なくとも１つの内側支持材要素材料は、金属と、ガラスと、セラミックと、木材と、ポリプロピレンと、ポリスチレンと、ポリエステルと、ナイロンと、ポリエチレンと、ポリヒドロキシアルカノエートと、ポリ乳酸と、サトウキビ由来ポリエステルまたはトウモロコシ由来エタノールと、成形パルプとからなるグループから選択される。
【００７５】
本開示の実施形態の別の態様によると、口栓に相互接続されたキャップまたは吐出機構をさらに含む。
【００７６】
本開示の実施形態の別の態様によると、キャップまたは吐出機構は、ねじ方式、ヒンジ方式、または機械的結合方式によって口栓に相互接続される。
【００７７】
本開示の実施形態の別の態様によると、吐出機構は、トリガスプレー器と、ポンプと、弁と、プッシュプル式注ぎ口と、戻し注ぎ口と、定量吐出用吐出ボールまたは球とからなるグループから選択される。
【００７８】
本開示の実施形態の別の態様によると、軟質パウチ本体は、ボトル、水差し、ボトルまたはチューブの形状である。
【００７９】
本開示の実施形態の別の態様によると、軟質パウチ本体は、液体、乾燥固体、粉末固体またはこれらの組み合わせをさらに含む。
【００８０】
本開示の実施形態の別の態様によると、軟質パウチ本体はヒートシール、超音波シール、または接着シールよって口栓に結合される。
【００８１】
本開示の実施形態の別の態様によると、少なくとも１つの内側支持材は、軟質パウチ本体に挿入される前に圧縮状態またはコンパクト化状態である。
【００８２】
本開示の実施形態の別の態様によると、圧縮状態またはコンパクト化状態の少なくとも１つの内側支持材は、ばね、張力またはこれらの組み合わせを含む。
【００８３】
本開示の実施形態の別の態様によると、圧縮状態またはコンパクト化状態の少なくとも１つの内側支持材は、軟質パウチ本体に挿入された後にパウチの容積に従うように広がる。
【００８４】
本開示の実施形態の別の態様によると、少なくとも１つの内側支持材要素は、取っ手、側壁、側縁、底部縁、上縁、底部壁、およびこれらの組み合わせからなるグループから選択される軟質パウチ本体の少なくとも一部を補強する。
【００８５】
第２の開示の実施形態の１つまたは複数の態様によると、一体となった口栓と取っ手要素とを備えたパウチが、軟質パウチ本体に結合された口栓と取っ手要素との組み合わせを含む軟質パウチを含であって、口栓と取っ手要素との組み合わせが口栓と取っ手要素との組み合わせから延びる取っ手部を含み、口栓と取っ手要素との組み合わせが一体である、軟質パウチを含む。
【００８６】
第２の開示の実施形態の別の態様によると、取っ手部はパウチの内部にある。
【００８７】
第２の開示の実施形態の別の態様によると、パウチの内部の取っ手部は、パウチの内部からパウチの外側に通る。
【００８８】
第２の開示の実施形態の別の態様によると、パウチの内部からパウチの外側に通るパウチの内部の取っ手部は、パウチの内部に戻る。
【００８９】
第２の開示の実施形態の別の態様によると、取っ手部はパウチの外側にある。
【００９０】
第２の開示の実施形態の別の態様によると、口栓と取っ手要素との組み合わせは、接着シール、超音波シールまたはヒートシールによって軟質パウチ本体に結合される。
【００９１】
第２の開示の実施形態の別の態様によると、口栓と取っ手要素との組み合わせは、剛性が軟質パウチ本体と比較して等しいかまたはより大きい、半硬質、軟質または弾性材料である。
【００９２】
第２の開示の実施形態の別の態様によると、口栓と取っ手要素との組み合わせの材料は、金属と、ガラスと、セラミックと、木材と、ポリプロピレンと、ポリスチレンと、ポリエステルと、ナイロンと、ポリエチレンと、ポリヒドロキシアルカノエートと、ポリ乳酸と、サトウキビ由来ポリエステルまたはトウモロコシ由来エタノールと、成形パルプとからなるグループから選択される。
【００９３】
第２の開示の別の態様によると、口栓と取っ手要素との組み合わせは、取っ手を補強するか、または軟質パウチ本体に取っ手を与える。
【００９４】
第３の開示の実施形態の１つまたは複数の態様によると、一体となった口栓と内側支持材要素とを備えたパウチが、軟質パウチ本体に結合された口栓と内側支持材要素との組み合わせを含む軟質パウチであって、口栓と内側支持材要素との組み合わせは、口栓と内側支持材要素との組み合わせから延びる少なくとも１つの内側支持材を含み、口栓と内側支持材要素との組み合わせは一体となっている、軟質パウチを含む。
【００９５】
第３の開示の実施形態の別の態様によると、少なくとも１つの内側支持材はパウチの内部にある。
【００９６】
第３の開示の実施形態の別の態様によると、口栓と内側支持材要素との組み合わせは、接着シール、超音波シール、またはヒートシールによって軟質パウチに結合される。
【００９７】
第３の開示の実施形態の別の態様によると、口栓と内側支持材との組み合わせは、剛性が軟質パウチ本体と比較して等しいかまたはより大きい、半硬質、軟質または弾性材料である。
【００９８】
第３の開示の実施形態の別の実施形態によると、口栓と内側支持材要素の材料は、金属と、ガラスと、セラミックと、木材と、ポリプロピレンと、ポリスチレンと、ポリエステルと、ナイロンと、ポリエチレンと、ポリヒドロキシアルカノエートと、ポリ乳酸と、サトウキビ由来ポリエステルまたはトウモロコシ由来エタノールと、成形パルプとからなるグループから選択される。
【００９９】
第３の開示の実施形態の別の態様によると、少なくとも１つの内側支持材は、軟質パウチ本体に挿入される前に圧縮状態またはコンパクト化状態である。
【０１００】
第３の開示の実施形態の別の態様によると、圧縮状態またはコンパクト化状態の少なくとも１つの内側支持材は、ばね、張力、またはこれらの組み合わせを含む。
【０１０１】
第３の開示の実施形態の別の態様によると、圧縮状態またはコンパクト化状態の少なくとも１つの内側支持材は、軟質パウチ本体に挿入された後にパウチの容積に従うように広がる。
【０１０２】
第３の開示の実施形態の別の態様によると、口栓と内側支持材要素との組み合わせは、取っ手と、側壁と、側縁と、底部縁と、上縁と、底部壁と、これらの組み合わせとからなるグループから選択される軟質パウチ本体の少なくとも一部を補強する。
【０１０３】
第４の開示の実施形態の１つまたは複数の態様によると、内側支持材を備えたパウチを製作する方法が、ｉ）軟質パウチ本体に結合された口栓と数なくとも１つの内側支持材要素とを含む軟質パウチを設けることであって、該口栓は口栓内側係合機構を含み、少なくとも１つの内側支持材要素は内側支持材係合機構と、内側支持材係合機構から延びる少なくとも１つの内側支持材とを含む、軟質パウチを設けることと、ｉｉ）口栓内側係合機構と内側支持材傾向機構とがかみ合って少なくとも１つの内側支持材要素が軟質パウチ本体内に、および軟質パウチ本体から落下するのを防ぐように、内側支持材要素を口栓内に滑り込ませることとを含む。
【０１０４】
第４の開示の実施形態の別の態様によると、キャップまたは吐出機構を設けることと、キャップまたは吐出機構をねじ方式、ヒンジ方式、または機械的結合方式によって口栓に相互接続することとをさらに含む。
【０１０５】
第４の開示の実施形態の別の態様によると、吐出機構は、トリガスプレー器と、ポンプと、弁と、プッシュプル注ぎ口と、戻し注ぎ口と、定量吐出用吐出ボールまたは球とからなるグループから選択される。
【０１０６】
第４の開示の実施形態の別の態様によると、軟質パウチ本体に、液体、乾燥固体、粉末固体、またはこれらの組み合わせを満たすことをさらに含む。
【０１０７】
第４の開示の実施形態の別の態様によると、少なくとも１つの内側支持材は、口栓内に滑り込まされる前に圧縮状態またはコンパクト化状態である。
【０１０８】
第４の開示の実施形態の別の態様によると、圧縮状態またはコンパクト化状態の少なくとも１つの内側支持材は、ばね、張力、またはこれらの組み合わせを含む。
【０１０９】
第４の開示の実施形態の別の態様によると、口栓内に滑り込まされた後に、圧縮状態またはコンパクト化状態の少なくとも１つの内側支持材をパウチの容積に従うように広げることをさらに含む。
【０１１０】
第４の開示の実施形態の別の態様によると、少なくとも１つの内側支持材要素は、取っ手と、側壁と、側縁と、底部縁と、上縁と、底部壁と、これらの組み合わせとからなるグループから選択される軟質パウチ本体の少なくとも一部を補強する。
【０１１１】
第４の開示の実施形態の別の態様によると、少なくとも１つの内側支持材は取っ手として機能する。
【０１１２】
第４の開示の実施形態の別の態様によると、取っ手として機能する少なくとも１つの内側支持材は、パウチの内部からパウチの外側に通る。
【０１１３】
第４の開示の実施形態の別の態様によると、パウチの内部からパウチの外側に通るパウチの取っ手として機能する少なくとも１つの内側支持材は、パウチの内部に戻る。
【０１１４】
第４の開示の実施形態の別の態様によると、少なくとも１つの内側支持材は、縁支持材として機能する。
【０１１５】
第４の開示の実施形態の別の態様によると、少なくとも１つの内側支持材要素は、２つの支持材を含む。
【０１１６】
第４の開示の実施形態の別の態様によると、２つの支持材は取っ手として機能する。
【０１１７】
第４の開示の実施形態の別の態様によると、２つの支持材は取っ手および縁支持材として機能する。
【０１１８】
第４の開示の実施形態の別の態様によると、少なくとも１つの内側支持材要素は３つの支持材を含む。
【０１１９】
第４の開示の実施形態の別の態様によると、２つの支持材が取っ手として機能し、１つの支持材が縁支持材として機能する。
【０１２０】
第４の開示の実施形態の別の態様によると、１つの支持材が取っ手として機能し、２つの支持材が側部支持材として機能する。
【０１２１】
第４の開示の実施形態の別の態様によると、口栓は形状が、環状、楕円形または矩形である。
【０１２２】
第４の開示の実施形態の別の態様によると、口栓は、半硬質、軟質または弾性材料である。
【０１２３】
第４の開示の実施形態の別の態様によると、口栓の材料は、金属と、ガラスと、セラミックと、木材と、ポリプロピレンと、ポリスチレンと、ポリエステルと、ナイロンと、ポリエチレンと、ポリヒドロキシアルカノエートと、ポリ乳酸と、サトウキビ由来ポリエステルまたはトウモロコシ由来エタノールと、成形パルプからなるグループから選択される。
【０１２４】
第４の開示の実施形態の別の態様によると、口栓内側係合機構は略リング形状である。
【０１２５】
第４の開示の実施形態別の態様によると、口栓係合機構は、ふちと、溝と、凸部と、歯と、溝部と、突起部と、クリップと、留め具とからなるグループから選択される。
【０１２６】
第４の開示の実施形態の別の態様によると、内側支持材係合機構は略リング形状である。
【０１２７】
第４の開示の実施形態の別の態様によると、内側支持材係合機構は、ふちと、溝と、凸部と、歯と、溝部と、突起部と、クリップと、留め具とからなるグループから選択される。
【０１２８】
第４の開示の実施形態の別の態様によると、口栓内側係合機構は、口栓の内径と一体であるか、または口栓の内径に圧入／摩擦嵌合する別個の要素である。
【０１２９】
第４の開示の実施形態の別の態様によると、少なくとも１つの内側支持材は、軟質パウチ本体と比較して剛性が等しいかまたはより大きい、半硬質、軟質または弾性材料である。
【０１３０】
第４の開示の実施形態の別の態様によると、少なくとも１つの内側支持材要素の材料は、金属と、ガラスと、セラミックと、木材と、ポリプロピレンと、ポリスチレンと、ポリエステルと、ナイロンと、ポリエチレンと、ポリヒドロキシアルカノエートと、ポリ乳酸と、サトウキビ由来ポリエステルまたはトウモロコシ由来エタノールと、成形パルプからなるグループから選択される。
【０１３１】
第４の開示の実施形態の別の態様によると、軟質パウチ本体は、ヒートシール、超音波シール、または接着シールによって口栓に結合される。
【０１３２】
本開示の実施形態のさらに別の態様によると、パウチが開示される。パウチは、取っ手係合機構と結合するように構成された内側係合機構を含む口栓と、実質的に取っ手部と取っ手係合機構とからなる取っ手要素と、口栓の周囲に実質的にシールされた軟質フィルム材料によって形成されたパウチ本体と、支持挿入物とを有する。取っ手要素は、内側係合機構が取っ手係合機構と結合されるように口栓の内部を実質的に通り、取っ手部は口栓の底部を通って延びる。支持挿入物は、パウチ内における形状を維持するようにパウチ内に配置される。
【０１３３】
第５の開示の実施形態の１つまたは複数の態様によると、一体となった口栓と内側支持取っ手要素とを備えたボトルパウチが、取っ手領域を備えた軟質パウチ本体と、口栓と内側支持取り付け要素との組み合わせから延びる硬質取っ手部を含む、口栓と内側支持取っ手要素との組み合わせとを含むボトルの形状の軟質パウチであって、口栓と内側支持取っ手要素との組み合わせは軟質パウチに結合され、内側支持取っ手要素は、口栓の内部から延び、軟質パウチ本体内部にあり、内側支持取っ手要素は、軟質パウチ本体の内部から軟質パウチ本体の取っ手領域に隣接する軟質パウチ本体の外側に延びて、軟質パウチの取っ手領域の硬さを増す硬質取っ手部を形成する、軟質パウチを含む。
【０１３４】
第５の開示の実施形態の別の態様によると、内側支持取っ手要素は、軟質パウチ本体の外側から通って、軟質パウチ本体の取っ手領域に隣接する軟質パウチ本体の内部に戻る。
【０１３５】
第５の開示の実施形態の別の態様によると、口栓と内側支持取っ手要素との組み合わせは一体となっている。
【０１３６】
第５の開示の実施形態の別の態様によると、口栓と内側支持取っ手要素との組み合わせは射出成形プロセスで形成される。
【０１３７】
第５の開示の実施形態の別の態様によると、口栓と内側支持取っ手要素との組み合わせは、口栓を内側支持取っ手要素にかみ合わせるための、口栓内側係合機構と内側支持取っ手要素係合機構とを含む。
【０１３８】
第５の開示の実施形態の別の態様によると、硬質取っ手部は、取っ手領域のための１つの外側支持取っ手要素を含む。
【０１３９】
第５の開示の実施形態の別の態様によると、硬質取っ手部は、取っ手領域のための第２の外側支持取っ手要素を含む。
【０１４０】
第５の開示の実施形態の別の態様によると、口栓と内側支持取っ手要素との組み合わせは、接着シール、超音波シール、またはヒートシールによって軟質パウチ本体に結合される。
【０１４１】
第５の開示の実施形態の別の態様によると、口栓と内側支持取っ手要素との組み合わせは、軟質パウチ本体と比較して剛性がより大きい硬質材料である。
【０１４２】
第５の開示の実施形態の別の態様によると、硬質材料は、金属と、ガラスと、セラミックと、木材と、ポリプロピレンと、ポリスチレンと、ポリエステルと、ナイロンと、ポリエチレンと、ポリヒドロキシアルカノエートと、ポリ乳酸と、サトウキビ由来ポリエステルまたはトウモロコシ由来エタノールと、成形パルプとからなるグループから選択される。
【０１４３】
第５の開示の実施形態の別の態様によると、口栓に相互接続されたキャップまたは吐出機構をさらに含む。
【０１４４】
第５の開示の実施形態の別の態様によると、キャップまたは吐出機構は、ねじ方式、ヒンジ方式、または機械的結合方式によって口栓に相互接続される。
【０１４５】
第５の開示の実施形態の別の態様によると、吐出機構は、トリガスプレー器と、ポンプと、弁と、プッシュプル注ぎ口と、戻し注ぎ口と、定量吐出用吐出ボールまたは球とからなるグループから選択される。
【０１４６】
第５の開示の別の実施形態の別の態様によると、軟質パウチ本体は、液体、乾燥固体、粉末固体、またはこれらの組み合わせをさらに含む。
【０１４７】
第５の開示の実施形態の別の態様によると、口栓は形状が、環状、楕円形または矩形である。
【０１４８】
第５の開示の実施形態の別の態様によると、口栓は半硬質、軟質または弾性材料である。
【０１４９】
第５の開示の実施形態の別の態様によると、口栓の材料は、金属と、ガラスと、セラミックと、木材と、ポリプロピレンと、ポリスチレンと、ポリエステルと、ナイロンと、ポリエチレンと、ポリヒドロキシアルカノエートと、ポリ乳酸と、サトウキビ由来ポリエステルまたはトウモロコシ由来エタノールと、成形パルプとからなるグループから選択される。
【０１５０】
第６の開示の実施形態の１つまたは複数の態様によると、一体となった口栓と内側支持取っ手要素とを備えたボトルパウチが、取っ手領域と、軟質パウチ本体の外周面に結合された少なくとも１つの外側スリーブまたはループとを備えた軟質パウチ本体を含むボトルの形状の軟質パウチと、口栓と内側支持取っ手要素との組み合わせから延びる硬質取っ手部を含む口栓と内側支持取っ手要素との組み合わせとを含むボトルパウチであって、口栓と内側支持取っ手要素との組み合わせが軟質パウチに結合され、内側支持取っ手要素が、少なくとも１つの外側スリーブまたはループの内部を通り、内側支持取っ手要素が口栓の外周面から伸び、軟質パウチ本体の外側にあり、内側支持取っ手要素が外側スリーブまたはループの内部から、軟質パウチ本体の取っ手領域に隣接する軟質パウチ本体の外側まで通って、軟質パウチの取っ手領域の硬さを増す硬質取っ手部を形成する、ボトルパウチを含む。
【０１５１】
第６の開示の実施形態の別の態様によると、軟質パウチ本体の外周面に結合された第２の外側スリーブまたはループをさらに含む。
【０１５２】
第６の開示の実施形態の別の態様によると、内側支持取っ手要素は、第２の外側スリーブまたはループの内部を通る。
【０１５３】
第６の開示の実施形態の別の態様によると、硬質取っ手部は、取っ手領域に隣接して位置する第２の外側スリーブまたはループの内部を通る。
【０１５４】
第６の開示の実施形態の別の態様によると、軟質パウチ本体の外周面に結合された第３の外側スリーブまたはループをさらに含む。
【０１５５】
第６の開示の実施形態の別の態様によると、内側支持取っ手要素は第３の外側スリーブまたはループの内部を通る。
【０１５６】
第６の開示の実施形態の別の態様によると、硬質取っ手部は、取っ手領域に隣接して位置する第３の外側スリーブまたはループの内部を通る。
【０１５７】
第６の開示の実施形態の別の態様によると、少なくとも１つの外側スリーブまたはループは長さが、５ｍｍないし２５０ｍｍの範囲である。
【０１５８】
第６の開示の実施形態の別の態様によると、少なくとも１つの外側スリーブまたはループは内径が、５ｍｍないし２５ｍｍの範囲である。
【０１５９】
第６の開示の実施形態の別の態様によると、内側支持取っ手要素と硬質取っ手部との外径は、３ｍｍないし２３ｍｍである。
【０１６０】
第６の開示の実施形態の別の態様によると、口栓と内側支持取っ手要素との組み合わせは一体となっている。
【０１６１】
第６の開示の実施形態の別の態様によると、口栓と内側支持取っ手要素との組み合わせは、圧入型の機構において口栓の環状肩部の上を滑るスリップリングを内側支持取っ手要素の一端に備えた内側支持取っ手要素を含む。
【０１６２】
第６の開示の実施形態の別の態様によると、硬質取っ手部は、取っ手領域のための１つの外側支持取っ手要素を含む。
【０１６３】
第６の開示の実施形態の別の態様によると、硬質取っ手部は、取っ手領域のための第２の外側支持取っ手要素を含む。
【０１６４】
第６の開示の実施形態の別の態様によると、口栓と内側支持取っ手要素との組み合わせは、接着シール、超音波シール、またはヒートシールによって軟質パウチ本体に結合される。
【０１６５】
第６の開示の実施形態の別の態様によると、口栓と内側支持取っ手要素との組み合わせは、軟質パウチ本体と比較して剛性がより大きい硬質材料である。
【０１６６】
第６の開示の実施形態の別の態様によると、剛性材料は、金属と、ガラスと、セラミックと、木材と、ポリプロピレンと、ポリスチレンと、ポリエステルと、ナイロンと、ポリエチレンと、ポリヒドロキシアルカノエートと、ポリ乳酸と、サトウキビ由来ポリエステルまたはトウモロコシ由来エタノールと、成形パルプとからなるグループから選択される。
【０１６７】
第６の開示の実施形態の別の態様によると、口栓と相互接続されたキャップまたは吐出機構をさらに含む。
【０１６８】
第６の開示の実施形態の別の態様によると、キャップまたは吐出機構は、ねじ方式、ヒンジ方式、または機械的結合方式によって口栓に相互接続される。
【０１６９】
第６の開示の実施形態の別の態様によると、吐出機構は、トリガスプレー器と、ポンプと、弁と、プッシュプル注ぎ口と、戻し注ぎ口と、定量吐出用吐出ボールまたは球とからなるグループから選択される。
【０１７０】
第６の開示の実施形態の別の態様によると、軟質パウチ本体は、液体、乾燥固体、粉末固体、またはこれらの組み合わせをさらに含む。
【０１７１】
第６の開示の実施形態の別の態様によると、口栓は形状が環状、楕円形または矩形である。
【０１７２】
第６の開示の実施形態の別の態様によると、口栓は、半硬質、軟質または弾力性材料である。
【０１７３】
第６の開示の実施形態の別の態様によると、口栓の材料は、金属と、ガラスと、セラミックと、木材と、ポリプロピレンと、ポリスチレンと、ポリエステルと、ナイロンと、ポリエチレンと、ポリヒドロキシアルカノエートと、ポリ乳酸と、サトウキビ由来ポリエステルまたはトウモロコシ由来エタノールと、成形パルプとからなるグループから選択される。
【０１７４】
第７の実施形態の１つまたは複数の態様によると、一体となった口栓と内側支持取っ手要素とを備えたボトルパウチを製作する方法が、ｉ）取っ手領域を備えた軟質パウチ本体と、ｉｉ）口栓と内側支持取っ手要素との組み合わせから延びる硬質取っ手部を含む口栓と内側支持取っ手要素との組み合わせとを含む、ボトルの形状の軟質パウチを設けることと、内側支持取っ手要素が口栓の内部から延び、軟質パウチ本体の内部にある、口栓と内側支持取っ手要素との組み合わせを、軟質パウチに結合することと、軟質パウチの取っ手領域の硬さを増す硬質取っ手部を形成するように、内側支持取っ手要素を軟質パウチ本体の内部から、軟質パウチ本体の取っ手領域に隣接する軟質パウチ本体の外側に通すこととを含む。
【０１７５】
第８の開示の実施形態の１つまたは複数の態様によると、一体となった口栓と内側支持取っ手要素とを備えたボトルパウチを製作する方法が、ｉ）取っ手領域と、軟質パウチ本体の外周面に結合された少なくとも１つの外側スリーブまたはループとを備えた軟質パウチ本体と、ｉｉ）内側支持取っ手要素が口栓の外周面から延びる、口栓と内側支持取っ手要素との組み合わせから延びる硬質取っ手部を含む口栓と内側支持取っ手要素との組み合わせとを含む、ボトルの形状の軟質パウチを設けることと、口栓と内側支持取っ手要素との組み合わせを軟質パウチに結合することと、内側支持取っ手要素を、軟質パウチ本体の外側にある、少なくとも１つの外側スリーブまたはループに通すことと、軟質パウチの取っ手領域の硬さを増す硬質取っ手部を形成するように、内側支持取っ手要素を外側スリーブまたはループの内部から軟質パウチ本体の取っ手領域に隣接する軟質パウチ本体の外側まで通すこととを含む。
【０１７６】
以上の説明は、本開示の実施形態の態様の例示に過ぎないことと、本開示の実施形態の態様は個別に、または任意の適合する組み合わせで使用可能であることを理解すべきである。本開示の実施形態の態様から逸脱することなく、当業者によって様々な代替態様および変更が考案可能である。したがって、本開示の実施形態の態様は、添付の特許請求の範囲に含まれるそのようなすべての代替態様、変更および変形を含めることを意図している。また、異なる特徴が互いに異なる従属請求項または独立請求項に記載されているという単なる事実は、それらの特徴の組み合わせが有利に使用可能ではないことを示しておらず、そのような組み合わせも本発明の態様の範囲内にとどまる。
【０１７７】
本明細書で引用されている、優先権文献を含む、すべての特許、試験手続きおよびその他の文献は、そのような開示が本発明と矛盾しない程度まで、また、組み込みが許されるあらゆる権限について、参照により完全に組み込まれる。本明細書に下限数値と上限数値とが記載されている場合、任意の下限から任意の上限までの範囲が企図されている。
【図１】
2019116319.tif 000003
【図１Ａ】
2019116319.tif 000004
【図１Ｂ】
2019116319.tif 000005
【図２】
2019116319.tif 000006
【図２Ａ】
2019116319.tif 000007
【図２Ｂ】
2019116319.tif 000008
【図３】
2019116319.tif 000009
【図３Ａ】
2019116319.tif 000010
【図３Ｂ】
2019116319.tif 000011
【図４】
2019116319.tif 000012
【図４Ａ】
2019116319.tif 000013
【図４Ｂ】
2019116319.tif 000014
【図５】
2019116319.tif 000015
【図５Ａ】
2019116319.tif 000016
【図５Ｂ】
2019116319.tif 000017
【図６】
2019116319.tif 000018
【図６Ａ】
2019116319.tif 000019
【図７】
2019116319.tif 000020
【図７Ａ】
2019116319.tif 000021
【図８】
2019116319.tif 000022
【図９】
2019116319.tif 000023
【図１０】
2019116319.tif 000024
【図１１】
2019116319.tif 000025
【図１２】
2019116319.tif 000026
【図１３】
2019116319.tif 000027
【外国語明細書】
2019116319000001.pdf